(57)【要約】【課題】コンテンツデータを好適に再生出力させる制御をする再生制御装置を提供する。【解決手段】車両に搭載された制御部２６０は、入力操作により取得した所定のコンテンツデータを第１出力部４００および第２出力部５００のうち所定の出力部で再生出力させる要求に関する出力要求信号を認識する入力信号認識手段２６２と、認識した出力要求信号に基づいて第１出力部４００および第２出力部５００の少なくともいずれか一方で再生出力させる状態を制御する出力切換制御手段２６６と、を備えている。このため、車両内に搭乗した利用者の入力操作により、所定のコンテンツデータを複数の出力部のうち所望の出力部で再生出力させることができる。したがって、コンテンツデータ再生システム１００は、好適にコンテンツデータを再生出力することができる。【選択図】図２
2006209828.tif 000002
【特許請求の範囲】
【請求項１】
移動体に搭載された複数の出力部におけるコンテンツデータ取得部で取得したコンテンツデータの再生出力状態を制御する再生制御装置であって、
入力操作に応じて出力され前記複数の出力部における所定の出力部で再生出力させる要求に関する出力要求信号を認識する出力要求認識手段と、
前記認識した前記出力要求信号に基づいて、前記複数の出力部における再生出力状態を制御する再生出力制御手段と、
を具備したことを特徴とする再生制御装置。
【請求項２】
請求項１に記載の再生制御装置であって、
前記コンテンツデータ取得部は、複数の前記コンテンツデータを取得する
ことを特徴とする再生制御装置。
【請求項３】
請求項１または請求項２に記載の再生制御装置であって、
前記コンテンツデータ取得部で取得した前記コンテンツデータの特性を認識するコンテンツデータ特性認識手段と、
前記移動体の移動状況を認識する移動状況認識手段と、を具備し、
前記再生出力制御手段は、前記認識したコンテンツデータの特性、前記出力要求信号および前記移動状況に基づいて、前記複数の出力部における再生出力状態を制御する
ことを特徴とする再生制御装置。
【請求項４】
請求項３に記載の再生制御装置であって、
前記再生出力制御手段は、前記複数の出力部における再生出力状態の制御として、前記移動状況認識手段により前記移動体が直ちに移動できない移動状況であることを認識すると、前記出力要求信号に応じて前記取得したコンテンツデータを要求対象の前記所定の出力部で再生出力させる制御をし、前記移動状況認識手段により前記移動体が移動している移動状況または前記移動体が直ちに移動できる移動状況であることを認識すると、前記出力要求信号に基づいて、前記コンテンツデータを再生出力させる要求対象の前記所定の出力部のうち前記移動体を移動させる利用者を再生出力対象に含む前記出力部での再生出力を前記コンテンツデータの特性に応じて制限しつつ他の前記出力部で前記コンテンツデータを再生出力させる制御をする
ことを特徴とする再生制御装置。
【請求項５】
請求項３または請求項４に記載の再生制御装置であって、
入力操作に応じて出力され前記コンテンツデータ取得部を特定する取得要求信号を認識する取得要求認識手段を具備し、
前記再生出力制御手段は、前記取得要求信号により特定された前記コンテンツデータ取得部に対応する所定の前記出力部にて前記コンテンツデータを出力させる制御をするとともに、前記出力要求信号に基づいて前記所定の出力部以外の出力部が前記コンテンツデータの再生出力の要求対象であると判断すると、前記認識したコンテンツデータの特性、前記出力要求信号および前記移動状況に基づいて再生出力状態を制御する
ことを特徴とする再生制御装置。
【請求項６】
請求項３または請求項４に記載の再生制御装置であって、
前記コンテンツデータ取得部は、前記コンテンツデータを記録し着脱可能な記録媒体が装着されたことを検出すると前記コンテンツデータの取得を要求する取得要求信号を出力する検出出力手段を備え、
前記再生出力制御手段は、前記取得要求信号により特定された前記コンテンツデータ取得部に対応する所定の前記出力部にて前記コンテンツデータを出力させる制御をするとともに、前記出力要求信号に基づいて前記所定の出力部以外の出力部が前記コンテンツデータの再生出力の要求対象であると判断すると、前記認識したコンテンツデータの特性、前記出力要求信号および前記移動状況に基づいて再生出力状態を制御する
ことを特徴とする再生制御装置。
【請求項７】
請求項３ないし請求項６のいずれかに記載の再生制御装置であって、
前記出力要求認識手段は、入力操作に応じて出力される前記出力要求信号を認識するとともに、前記入力操作が前記移動体を移動させる利用者による実施か否かを判断し、
前記再生出力制御手段は、前記入力操作が前記移動体を移動させる利用者による実施であると判断すると、前記出力要求信号に基づいて再生出力させる要求対象となっている全ての前記出力部で再生出力させる制御をする
ことを特徴とする再生制御装置。
【請求項８】
コンテンツデータを取得するコンテンツデータ取得部と前記取得したコンテンツデータを再生出力する出力部とを複数対備えて移動体に搭載される再生出力装置を制御し、前記コンテンツデータの再生出力状態を設定する再生制御装置であって、
入力操作に応じて出力され前記複数の出力部における所定の出力部で再生出力させる要求に関する出力要求信号を認識する出力要求認識手段と、
前記コンテンツデータ取得部で取得した前記コンテンツデータを再生出力する前記出力部が前記移動体を移動させる利用者を再生出力対象としない出力部である場合に、前記出力要求信号における要求対象の出力部が前記移動体を移動させる利用者を再生出力対象としていることを認識すると、前記要求対象となっている出力部で前記コンテンツデータを再生出力させる制御をする再生出力制御手段と、
を具備したことを特徴とする再生制御装置。
【請求項９】
請求項８に記載の再生制御装置であって、
前記出力要求認識手段は、前記出力要求信号が前記移動体を移動させる利用者による入力操作か前記利用者以外の利用者による入力操作かを認識し、
前記再生出力制御手段は、前記コンテンツデータ取得部で取得した前記コンテンツデータを再生出力する前記出力部が前記移動体を移動させる利用者を再生出力対象としない出力部である場合に、前記出力要求信号に基づいて前記コンテンツデータを出力する前記出力部が前記移動体を移動させる利用者を再生出力対象とする出力部を再生出力の要求対象に含み、前記移動体を移動させる利用者による入力操作であることを認識すると、前記要求対象となっている出力部で前記コンテンツデータを再生出力させる制御をし、前記出力要求信号に基づいて前記コンテンツデータを出力する前記出力部が前記移動体を移動させる利用者を再生出力対象とする出力部を再生出力の要求対象に含み、前記移動体を移動させる利用者以外の利用者による入力操作であることを認識すると、前記移動体を移動させる利用者を再生出力対象とする出力部以外の出力部で前記コンテンツデータを再生出力させる制御をする
ことを特徴とする再生制御装置。
【請求項１０】
請求項９に記載の再生制御装置であって、
前記出力要求認識手段は、前記移動体を移動させる利用者が入力操作可能な第１の操作手段と前記利用者以外の利用者が入力操作可能な第２の操作手段とからの入力操作に応じてそれぞれ出力され、かつ前記複数の出力部のうち所定の出力部で再生出力させる要求に関する出力要求信号を認識し、前記移動体を移動させる利用者による入力操作か前記利用者以外の利用者による入力操作かを認識する
ことを特徴とする再生制御装置。
【請求項１１】
コンテンツデータをそれぞれ取得する複数のコンテンツデータ取得部と、前記取得したコンテンツデータを再生出力する複数の出力部とを備えて移動体に搭載される再生出力装置を制御し、前記コンテンツデータの再生出力状態を設定する再生制御装置であって、
前記移動体を移動させる利用者が入力操作可能な第１の操作手段と前記利用者以外の利用者が入力操作可能な第２の操作手段とから入力操作に応じてそれぞれ出力され、前記複数の出力部における所定の出力部で再生出力させる要求に関する出力要求信号を認識する出力要求認識手段と、
前記出力要求信号に基づいて、前記コンテンツデータを出力する前記出力部が前記移動体を移動させる利用者を再生出力対象としない出力部である場合に、前記出力要求信号が前記第１の操作手段から出力されたことを認識すると、前記出力要求信号における前記要求対象となっている出力部で前記コンテンツデータを再生出力させる制御をし、前記出力要求信号が前記第２の操作信号から出力されたことを認識すると、前記出力要求信号における前記要求対象となっている出力部のうち前記移動体を移動させる利用者を再生出力対象とする出力部以外の出力部で再生出力させる制御をする再生出力制御手段と、
を具備したことを特徴とする再生制御装置。
【請求項１２】
請求項１１に記載の再生出力制御装置であって、
前記第１の操作手段における入力操作にて出力される前記出力要求信号は、再生出力させる要求対象として前記複数の出力部の全てであり、前記第２の操作手段における入力操作にて出力される前記出力要求信号は、再生出力させる要求対象として前記複数の出力部のうち前記移動体を移動させる利用者を再生出力対象としない出力部である
ことを特徴とする再生制御装置。
【請求項１３】
請求項８ないし請求項１２のいずれかに記載の再生制御装置であって、
前記移動体の移動状況を認識する移動状況認識手段を具備し、
前記再生出力制御手段は、前記移動状況認識手段により前記移動体が直ちに移動できない移動状況であることを認識すると、前記出力要求信号に基づいて前記移動体を移動させる利用者を再生出力対象とする前記出力部での再生出力の制限を解除する
ことを特徴とする再生制御装置。
【請求項１４】
請求項１ないし請求項１３のいずれかに記載の再生制御装置であって、
前記コンテンツデータは、動画データであり、
前記出力部は、前記動画データを画面表示により再生出力する表示装置である
ことを特徴とする再生制御装置。
【請求項１５】
請求項１ないし請求項１４のいずれかに記載の再生制御装置であって、
前記複数の出力部のうち動画データを再生出力する表示装置をタッチパネル式とし、
この表示装置に表示され前記コンテンツデータ取得部および前記出力部の配置を示す表示を備えた設定画面を生成する設定画面生成手段を具備し、
前記設定画面において所定の前記コンテンツデータ取得部の配置を示す表示を利用者により触れられることにより前記取得要求信号が生成され、
前記設定画面において所定の前記出力部の配置を示す表示を利用者により触れられることにより前記出力要求信号が生成される
ことを特徴とする再生制御装置。
【請求項１６】
コンテンツデータを取得するコンテンツデータ取得部と、
前記コンテンツデータ取得部で取得した前記コンテンツデータを再生出力する複数の出力部と、
前記コンテンツデータ取得部で取得したコンテンツデータを前記複数の出力部おける所定の出力部で再生出力させる制御をする請求項１ないし請求項１５のいずれかに記載された再生制御装置と、
を具備したことを特徴とする再生出力装置。
【請求項１７】
移動体に搭載された複数の出力部におけるコンテンツデータ取得部で取得したコンテンツデータの再生出力状態を制御する再生制御方法であって、
入力操作に応じて出力され前記複数の出力部における所定の出力部で再生出力させる要求に関する出力要求信号を認識し、
前記認識した前記出力要求信号に基づいて、前記複数の出力部における再生出力状態を制御する
ことを特徴とする再生制御方法。
【請求項１８】
コンテンツデータを取得するコンテンツデータ取得部と前記取得したコンテンツデータを再生出力する出力部とを複数対備えて移動体に搭載される再生出力装置を制御し、前記コンテンツデータの再生出力状態を設定する再生制御方法であって、
入力操作に応じて出力され前記複数の出力部における所定の出力部で再生出力させる要求に関する出力要求信号を認識し、
前記コンテンツデータ取得部で取得した前記コンテンツデータを再生出力する前記出力部が前記移動体を移動させる利用者を再生出力対象としない出力部である場合に、前記出力要求信号における要求対象の出力部が前記移動体を移動させる利用者を再生出力対象としていることを認識すると、前記要求対象となっている出力部で前記コンテンツデータを再生出力させる制御をする
ことを特徴とする再生制御方法。
【請求項１９】
コンテンツデータをそれぞれ取得する複数のコンテンツデータ取得部と、前記取得したコンテンツデータを再生出力する複数の出力部とを備えて移動体に搭載される再生出力装置を制御し、前記コンテンツデータの再生出力状態を設定する再生制御方法であって、
前記移動体を移動させる利用者が入力操作可能な第１の操作手段と前記利用者以外の利用者が入力操作可能な第２の操作手段とから入力操作に応じてそれぞれ出力され、前記複数の出力部における所定の出力部で再生出力させる要求に関する出力要求信号を認識し、
前記出力要求信号に基づいて、前記コンテンツデータを出力する前記出力部が前記移動体を移動させる利用者を再生出力対象としない出力部である場合に、前記出力要求信号が前記第１の操作手段から出力されたことを認識すると、前記出力要求信号における前記要求対象となっている出力部で前記コンテンツデータを再生出力させる制御をし、前記出力要求信号が前記第２の操作信号から出力されたことを認識すると、前記出力要求信号における前記要求対象となっている出力部のうち前記移動体を移動させる利用者を再生出力対象とする出力部以外の出力部で再生出力させる制御をする
ことを特徴とする再生制御方法。
【請求項２０】
演算手段を、請求項１ないし請求項１５のいずれかに記載の再生制御装置、または、請求項１６に記載の再生出力装置として機能させる
ことを特徴とする情報処理プログラム。
【請求項２１】
請求項１７ないし請求項１９のいずれかに記載の再生制御方法を演算手段に実行させる
ことを特徴とする情報処理プログラム。
【請求項２２】
請求項２０または請求項２１に記載の情報処理プログラムが演算手段にて読取可能に記録された
ことを特徴とする情報処理プログラムを記録した記録媒体。
【発明の詳細な説明】
【技術分野】
【０００１】
本発明は、コンテンツデータを再生出力させる制御をする再生制御装置、再生出力装置、再生制御方法、情報処理プログラム、および、情報処理プログラムを記録した記録媒体に関する。
【背景技術】
【０００２】
従来、車載用オーディオシステムとして、複数の異なるコンテンツデータを再生し複数の出力部から出力する構成が知られている。このような車載用オーディオシステムとして、複数の搭乗者がそれぞれ異なる音楽コンテンツを同時に聴くことが可能な構成がある（例えば、特許文献１参照）。この特許文献１に記載の車載用オーディオシステムは、移動体室内の前席側に配置されかつＣＤやラジオなどの複数の音源機能（ソース）を備えたオーディオ装置本体と、前席側でオーディオ装置本体を操作する前席側操作部と、移動体室内の後席側に設けられかつ後席側からオーディオ装置本体を操作する後席側操作部と、移動体室内に設けられかつ複数の音源機能からの音声信号を音声出力する複数のスピーカと、後席側の搭乗者のために設けられかつ複数の音源機能からの音声信号を音声出力するヘッドホンと、後席側の搭乗者のための外部ＤＶＤ装置と接続する外部接続部と、などを備えている。
【０００３】
そして、オーディオ装置本体は、前席側操作部もしくは後席側操作部からの操作により、一の音源からの音声信号をスピーカから音声出力する、あるいは、一の音源からの音声信号をスピーカから出力すると同時に他の音源からの音声信号をヘッドホンから音声出力する。このため、例えば前席側の搭乗者がスピーカを通じてＣＤを聴き、これと同時に後席側の搭乗者がヘッドホンを通じてＤＶＤを視聴することができる構成が採られている。
【０００４】
【特許文献１】特開２００４−１１８９３９（第４頁、図１）
【発明の開示】
【発明が解決しようとする課題】
【０００５】
しかしながら、上述した特許文献１のような構成では、後席側の搭乗者のみしかＤＶＤを視聴することができず、例えば、前席側の助手席に搭乗している者がＤＶＤを視聴したくても視聴することができないおそれがある、などの問題が一例として挙げられる。
【０００６】
本発明は、上述したような問題点に鑑みて、コンテンツデータを好適に再生出力させる制御をする再生制御装置、再生出力装置、再生制御方法、情報処理プログラム、および、情報処理プログラムを記録した記録媒体を提供することを１つの目的とする。
【課題を解決するための手段】
【０００７】
請求項１に記載の発明は、移動体に搭載された複数の出力部におけるコンテンツデータ取得部で取得した前記コンテンツデータの再生出力状態を制御する再生制御装置であって、入力操作に応じて出力され前記複数の出力部における所定の出力部で再生出力させる要求に関する出力要求信号を認識する出力要求認識手段と、前記認識した前記出力要求信号に基づいて、前記複数の出力部における再生出力状態を制御する再生出力制御手段と、を具備したことを特徴とする再生制御装置である。
【０００８】
請求項８に記載の発明は、コンテンツデータを取得するコンテンツデータ取得部と前記取得したコンテンツデータを再生出力する出力部とを複数対備えて移動体に搭載される再生出力装置を制御し、前記コンテンツデータの再生出力状態を設定する再生制御装置であって、入力操作に応じて出力され前記複数の出力部における所定の出力部で再生出力させる要求に関する出力要求信号を認識する出力要求認識手段と、前記コンテンツデータ取得部で取得した前記コンテンツデータを再生出力する前記出力部が前記移動体を移動させる利用者を再生出力対象としない出力部である場合に、前記出力要求信号における要求対象の出力部が前記移動体を移動させる利用者を再生出力対象としていることを認識すると、前記要求対象となっている出力部で前記コンテンツデータを再生出力させる制御をする再生出力制御手段と、を具備したことを特徴とする再生制御装置である。
【０００９】
請求項１１に記載の発明は、コンテンツデータをそれぞれ取得する複数のコンテンツデータ取得部と、前記取得したコンテンツデータを再生出力する複数の出力部とを備えて移動体に搭載される再生出力装置を制御し、前記コンテンツデータの再生出力状態を設定する再生制御装置であって、前記移動体を移動させる利用者が入力操作可能な第１の操作手段と前記利用者以外の利用者が入力操作可能な第２の操作手段とから入力操作に応じてそれぞれ出力され、前記複数の出力部における所定の出力部で再生出力させる要求に関する出力要求信号を認識する出力要求認識手段と、前記出力要求信号に基づいて、前記コンテンツデータを出力する前記出力部が前記移動体を移動させる利用者を再生出力対象としない出力部である場合に、前記出力要求信号が前記第１の操作手段から出力されたことを認識すると、前記出力要求信号における前記要求対象となっている出力部で前記コンテンツデータを再生出力させる制御をし、前記出力要求信号が前記第２の操作信号から出力されたことを認識すると、前記出力要求信号における前記要求対象となっている出力部のうち前記移動体を移動させる利用者を再生出力対象とする出力部以外の出力部で再生出力させる制御をする再生出力制御手段と、を具備したことを特徴とする再生制御装置である。
【００１０】
請求項１６に記載の発明は、コンテンツデータを取得するコンテンツデータ取得部と、前記コンテンツデータ取得部で取得した前記コンテンツデータを再生出力する複数の出力部と、前記コンテンツデータ取得部で取得したコンテンツデータを前記複数の出力部における所定の出力部で再生出力させる制御をする請求項１ないし請求項１５のいずれかに記載された再生制御装置と、を具備したことを特徴とする再生出力装置である。
【００１１】
請求項１７に記載の発明は、移動体に搭載された複数の出力部におけるコンテンツデータ取得部で取得した前記コンテンツデータの再生出力状態を制御する再生制御方法であって、入力操作に応じて出力され前記複数の出力部における所定の出力部で再生出力させる要求に関する出力要求信号を認識し、前記認識した前記出力要求信号に基づいて、前記複数の出力部における再生出力状態を制御することを特徴とする再生制御方法である。
【００１２】
請求項１８に記載の発明は、コンテンツデータを取得するコンテンツデータ取得部と前記取得したコンテンツデータを再生出力する出力部とを複数対備えて移動体に搭載される再生出力装置を制御し、前記コンテンツデータの再生出力状態を設定する再生制御方法であって、入力操作に応じて出力され前記複数の出力部における所定の出力部で再生出力させる要求に関する出力要求信号を認識し、前記コンテンツデータ取得部で取得した前記コンテンツデータを再生出力する前記出力部が前記移動体を移動させる利用者を再生出力対象としない出力部である場合に、前記出力要求信号における要求対象の出力部が前記移動体を移動させる利用者を再生出力対象としていることを認識すると、前記要求対象となっている出力部で前記コンテンツデータを再生出力させる制御をすることを特徴とする再生制御方法である。
【００１３】
請求項１９に記載の発明は、コンテンツデータをそれぞれ取得する複数のコンテンツデータ取得部と、前記取得したコンテンツデータを再生出力する複数の出力部とを備えて移動体に搭載される再生出力装置を制御し、前記コンテンツデータの再生出力状態を設定する再生制御方法であって、前記移動体を移動させる利用者が入力操作可能な第１の操作手段と前記利用者以外の利用者が入力操作可能な第２の操作手段とから入力操作に応じてそれぞれ出力され、前記複数の出力部における所定の出力部で再生出力させる要求に関する出力要求信号を認識し、前記出力要求信号に基づいて、前記コンテンツデータを出力する前記出力部が前記移動体を移動させる利用者を再生出力対象としない出力部である場合に、前記出力要求信号が前記第１の操作手段から出力されたことを認識すると、前記出力要求信号における前記要求対象となっている出力部で前記コンテンツデータを再生出力させる制御をし、前記出力要求信号が前記第２の操作信号から出力されたことを認識すると、前記出力要求信号における前記要求対象となっている出力部のうち前記移動体を移動させる利用者を再生出力対象とする出力部以外の出力部で再生出力させる制御をすることを特徴とする再生制御方法である。
【００１４】
請求項２０に記載の発明は、演算手段を、請求項１ないし請求項１５のいずれかに記載の再生制御装置、または、請求項１６に記載の再生出力装置として機能させることを特徴とする情報処理プログラムである。
【００１５】
請求項２１に記載の発明は、請求項１７ないし請求項１９のいずれかに記載の再生制御方法を演算手段に実行させることを特徴とする情報処理プログラムである。
【００１６】
請求項２２に記載の発明は、請求項２０または請求項２１に記載の情報処理プログラムが演算手段にて読取可能に記録されたことを特徴とする情報処理プログラムを記録した記録媒体である。
【発明を実施するための最良の形態】
【００１７】
以下に、本発明の一実施の形態を図面に基づいて説明する。なお、本実施の形態では、再生出力装置としてのコンテンツデータ再生システムは、移動体としての車両であって、移動方向において搭乗席が前側と後側に複数配置された車両に搭載され、前席側および後席側のそれぞれに複数のコンテンツデータ取得部と複数の出力部とが設けられた構成を例示して説明するが、これに限らない。すなわち、車両において少なくとも１つのコンテンツデータ取得部と複数の出力部とが設けられる構成であればいずれの配置構成としてもよい。また、本発明のコンテンツデータ再生システムは、搭乗席が前席側および後席側に複数配置された車両において設けられる構成を例示して説明するが、これに限らず、ワゴン車やバス、あるいは飛行機や船舶などの多数の搭乗席が設けられたいずれの移動体に設置される構成にも適用できる。なお、以下において、ＤＶＤ（Digital Versatile Disc）に記憶されたコンテンツデータを取得し再生出力することをＤＶＤを再生出力すると適宜称し、ＣＤ（Compact Disc）に記憶されたコンテンツデータを取得し再生出力することをＣＤを再生出力すると適宜称す。また、ＡＭ／ＦＭラジオ放送波として配信されるコンテンツデータを取得し再生出力することをラジオを再生出力すると適宜称し、ＴＶ放送波として配信されるコンテンツデータを取得し再生出力することをＴＶを再生出力すると適宜称して説明する。図１は、本発明の一実施の形態に係るコンテンツデータ再生システムの概略構成を示す概念図である。図２は、コンテンツデータ再生システムの概略構成を示すブロック図である。図３は、設定情報の概略構成を示す模式図である。図４は、スロットイン設定情報の概略構成を示す模式図である。図５は、スロットイン設定メニュー画面の一例を示す図である。図６は、設定メニューの一例を示す図である。
【００１８】
〔コンテンツデータ再生システムの構成〕
図１および図２において、１００はコンテンツデータ再生システムである。このコンテンツデータ再生システム１００は、複数のコンテンツデータ取得部で取得したコンテンツデータを複数の出力部のうち所定の出力部で再生出力する。そして、このコンテンツデータ再生システム１００は、第１ヘッドユニット２００と、第２ヘッドユニット３００と、第１出力部４００と、第２出力部５００と、を備えている。
【００１９】
第１出力部４００は、第１ヘッドユニット２００または第２ヘッドユニット３００と各種情報が送受信可能に接続されており、第１ヘッドユニット２００または第２ヘッドユニット３００で取得されたコンテンツデータを適宜再生出力する。この第１出力部４００は、図２に示すように、第１音声出力部４１０と、表示装置としての第１表示部４２０と、を備えている。
【００２０】
第１音声出力部４１０は、例えば前席側の左右両側に配設されたスピーカなどの発音手段を備えている。この第１音声出力部４１０は、第１ヘッドユニット２００または第２ヘッドユニット３００と各種情報が送受信可能に接続されており、第１ヘッドユニット２００または第２ヘッドユニット３００からアナログ信号やデジタル信号として送信される音声データを発音手段から音声として再生出力する。
【００２１】
第１表示部４２０は、例えば前席側におけるフロント側の中央部に設けられ、前席に搭乗した利用者に視認可能な状態に設置される。この第１表示部４２０は、第１ヘッドユニット２００または第２ヘッドユニット３００と各種情報が送受信可能に接続されており、第１ヘッドユニット２００または第２ヘッドユニット３００からアナログ信号やデジタル信号として送信される映像データ、ＴＶ放送データ、合成データなどを表示出力する。なお、第１表示部４２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。また、この第１表示部４２０は、利用者がディスプレイを直接触り各種入力操作を実施するタッチパネル式とすることもできる。
【００２２】
第２出力部５００は、第１出力部４００と同様の構成であり、第１ヘッドユニット２００または第２ヘッドユニット３００で取得されたコンテンツデータを適宜再生出力する。この第２出力部５００は、図２に示すように、第２音声出力部５１０と、表示装置としての第２表示部５２０と、を備えている。
【００２３】
第２音声出力部５１０は、例えば後述する第２ヘッドユニット３００の正面に臨む位置に設けられ、例えばヘッドホンなどの発音手段と各種信号が送受信可能な状態に接続される図示しないジャックを備えている。この第２音声出力部５１０は、第１ヘッドユニット２００または第２ヘッドユニット３００と各種情報が送受信可能に接続されており、第１ヘッドユニット２００または第２ヘッドユニット３００からアナログ信号やデジタル信号として送信される音声データを発音手段から音声として再生出力させる。なお、図１では、説明の便宜のために、第２音声出力部５１０の発音手段が後席側の左右両側に配置されて示されているが、これは後席側の搭乗者を対象とした発音手段であることを示すためである。
【００２４】
第２表示部５２０は、例えば後席側における天井の略中央に設けられ、後席に搭乗した利用者に視認可能な状態に設置される。この第２表示部５２０は、第１ヘッドユニット２００または第２ヘッドユニット３００と各種情報が送受信可能に接続されており、第１ヘッドユニット２００または第２ヘッドユニット３００からアナログ信号やデジタル信号として送信される映像データ、ＴＶ放送データ、合成データなどを表示出力する。なお、第２表示部５２０としては、例えば液晶表示パネルや有機ＥＬパネル、ＰＤＰ、ＣＲＴ、ＦＥＤ、電気泳動ディスプレイパネルなどが例示できる。なお、この第２表示部５２０は、利用者がディスプレイを直接触り各種入力操作を実施するタッチパネル式とすることもできる。
【００２５】
第１ヘッドユニット２００は、例えば前席側中央部におけるダッシュボード内部に設けられ、例えば合成樹脂や金属などにより形成された図示しない第１の筐体を備えている。この第１の筐体には、第１再生装置２１０と、第１の操作手段としての第１入力操作部２２０と、セレクタ２３０と、移動検知部２４０と、メモリ２５０と、再生制御装置としての制御部２６０と、などが一体として設けられている。なお、第１再生装置２１０と、第１入力操作部２２０と、セレクタ２３０と、移動検知部２４０と、メモリ２５０と、をそれぞれ別体として設け、それぞれを任意の組み合わせで筐体に設けるなどの構成としてもよい。
【００２６】
第１再生装置２１０は、制御部２６０と各種情報が送受信可能な状態に接続され、制御部２６０の制御により複数のコンテンツデータを取得する。そして、第１再生装置２１０は、第１出力部４００および第２出力部５００と各種信号が送受信可能に接続されており、取得したコンテンツデータを適宜処理して第１出力部４００または第２出力部５００にアナログ信号やデジタル信号としての音声データまたは映像データを送信する。そして、第１再生装置２１０は、コンテンツデータ取得部としての第１ディスク処理部２１１と、コンテンツデータ取得部としての第１チューナ部２１２と、などを備えている。
【００２７】
第１ディスク処理部２１１は、例えばスロットイン型のディスク処理装置である。この第１ディスク処理部２１１は、制御部２６０と各種情報が送受信可能な状態に接続されており、制御部２６０の制御によりＤＶＤやＣＤなどのディスク状記録媒体に記憶されたコンテンツデータを取得する。そして、第１ディスク処理部２１１は、第１出力部４００および第２出力部５００と各種信号が送受信可能に接続されており、第１出力部４００および第２出力部５００にアナログ信号やデジタル信号としての音声データまたは映像データを送信する。また、第１ディスク処理部２１１は、図示しない第１スロットイン検出手段を備えている。この第１スロットイン検出手段は、ディスク状記録媒体がスロットインされたことを検出すると、このディスク状記録媒体に記憶されたコンテンツデータの取得を要求するスロットインによる取得要求信号と、取得したコンテンツデータを所定の出力部に出力させる要求に関するスロットインによる出力要求信号と、を生成し、これら信号を制御部２６０に送信する。
【００２８】
第１チューナ部２１２には、ＡＭ／ＦＭラジオやＴＶなどの放送波を受信する図示しないアンテナが接続されている。また、第１チューナ部２１２は、制御部２６０と各種情報が送受信可能な状態に接続されている。そして、制御部２６０の制御によりアンテナにて受信したＡＭ／ＦＭラジオやＴＶなどのコンテンツデータを取得する。さらに、第１チューナ部２１２は、第１出力部４００および第２出力部５００と各種信号が送受信可能に接続されており、第１出力部４００および第２出力部５００に、アナログ信号やデジタル信号としての音声データまたは映像データを送信する。
【００２９】
第１入力操作部２２０は、制御部２６０と各種情報が送受信可能に接続され、コンテンツデータ再生システム１００の動作を適宜制御する。この第１入力操作部２２０は、図示しない第１の筐体の例えば正面に臨んで入力操作可能に配設された図示しない各種操作ボタンや操作つまみなどを有した構成であり、コンテンツデータ再生システム１００の動作を適宜制御するための入力信号を生成する。ここで、この第１入力操作部２２０の入力信号としては、例えば第１再生装置２１０にコンテンツデータの取得を要求する際の入力操作による取得要求信号、複数の出力部のうち所定の出力部で再生出力させる要求をする際の設定操作による出力要求信号、第１再生装置２１０にコンテンツデータの取得を停止させる際の入力操作による停止要求信号、前席スロットイン設定情報７１０の設定をする際の入力操作によるスロットイン設定要求信号、などが例示できる。
【００３０】
そして、第１入力操作部２２０は、これら入力信号を制御部２６０へ送信する。なお、第１入力操作部２２０は、例えば、第１表示部４２０をタッチパネル式とし、第１表示部４２０と一体とする構成としてもよい。また、図示しないリモートコントローラ（以下、リモコンと称す）より赤外線を介して送信される各種情報を受信して、この各種情報を入力信号として制御部２６０へ送信するリモコン受光部を備えた構成などとしてもよい。そして、第１入力操作部２２０が複数設けられる構成などとしてもよい。
【００３１】
第２ヘッドユニット３００は、例えば運転席と助手席との間における後席側近傍で後席に臨む位置に設けられ、例えば合成樹脂や金属などにより形成された図示しない第２の筐体を備えている。この第２の筐体には、第２再生装置３１０と、第２の操作手段としての第２入力操作部３２０と、などが一体として設けられている。なお、第２再生装置３１０と、第２入力操作部３２０と、セレクタ２３０と、移動検知部２４０と、メモリ２５０と、をそれぞれ別体として設け、それぞれを任意の組み合わせで筐体に設けるなどの構成としてもよい。
【００３２】
第２再生装置３１０は、制御部２６０と各種情報が送受信可能な状態に接続され、制御部２６０の制御により複数のコンテンツデータを取得する。そして、第２再生装置２１０は、第１出力部４００および第２出力部５００と各種信号が送受信可能に接続されており、取得したコンテンツデータを適宜処理して第１出力部４００または第２出力部５００にアナログ信号やデジタル信号としての音声データまたは映像データを送信する。そして、第２再生装置２１０は、コンテンツデータ取得部としての第２ディスク処理部３１１と、コンテンツデータ取得部としての第２チューナ部３１２と、などを備えている。
【００３３】
第２ディスク処理部３１１は、例えばスロットイン型のディスク処理装置である。この第２ディスク処理部３１１は、制御部２６０と各種情報が送受信可能な状態に接続されており、制御部２６０の制御によりＤＶＤやＣＤなどのディスク状記録媒体に記憶されたコンテンツデータを取得する。そして、第２ディスク処理部３１１は、第１出力部４００および第２出力部５００と各種信号が送受信可能に接続されており、第１出力部４００および第２出力部５００にアナログ信号やデジタル信号としての音声データまたは映像データを送信する。また、第２ディスク処理部３１１は、図示しない第２スロットイン検出手段を備えている。この第２スロットイン検出手段は、ディスク状記録媒体がスロットインされたことを検出すると、このディスク状記録媒体に記憶されたコンテンツデータの取得を要求するスロットインによる取得要求信号と、取得したコンテンツデータを所定の出力部に出力させる要求に関するスロットインによる出力要求信号と、を生成し、これら信号を制御部２６０に送信する。
【００３４】
第２チューナ部３１２には、ＡＭ／ＦＭラジオやＴＶなどの放送波を受信する図示しないアンテナが接続されている。また、第２チューナ部３１２は、制御部２６０と各種情報が送受信可能な状態に接続されている。そして、制御部２６０の制御によりアンテナにて受信したＡＭ／ＦＭラジオやＴＶなどのコンテンツデータを取得する。さらに、第２チューナ部３１２は、第１出力部４００および第２出力部５００と各種信号が送受信可能に接続されており、第１出力部４００および第２出力部５００に、アナログ信号やデジタル信号としての音声データまたは映像データを送信する。
【００３５】
第２入力操作部３２０は、制御部２６０と各種情報が送受信可能に接続され、コンテンツデータ再生システム１００の動作を適宜制御する。この第２入力操作部３２０は、図示しない第２の筐体の例えば正面に臨んで入力操作可能に配設された図示しない各種操作ボタンや操作つまみなどを有した構成であり、コンテンツデータ再生システム１００の動作を適宜制御するための入力信号を生成する。ここで、この第２入力操作部３２０の入力信号としては、例えば第２再生装置３１０にコンテンツデータの取得を要求する際の入力操作による取得要求信号、複数の出力部のうち所定の出力部で再生出力させる要求をする際の設定操作による出力要求信号、第２再生装置３１０にコンテンツデータの取得を停止させる際の入力操作による停止要求信号、後席スロットイン設定情報７２０の設定をする際の入力操作によるスロットイン設定要求信号、などが例示できる。
【００３６】
そして、第２入力操作部３２０は、これら入力信号を制御部２６０へ送信する。なお、第２入力操作部３２０は、例えば、第２表示部５２０をタッチパネル式とし、第２表示部５２０と一体とする構成としてもよい。また、図示しないリモートコントローラ（以下、リモコンと称す）より赤外線を介して送信される各種情報を受信して、この各種情報を入力信号として制御部２６０へ送信するリモコン受光部を備えた構成などとしてもよい。そして、第２入力操作部３２０が複数設けられる構成などとしてもよい。
【００３７】
セレクタ２３０は、制御部２６０と各種情報が送受信可能な状態に接続されている。また、セレクタ２３０は、第１ディスク処理部２１１と、第１チューナ部２１２と、第２ディスク処理部３１１と、第２チューナ部３１２と各種情報が送受信可能な状態に接続されている。そして、セレクタ２３０は、制御部２６０の制御により第１再生装置２１０または第２再生装置３１０で取得した複数のコンテンツデータを所定の出力部で再生出力させるよう出力回路を切り換える。
【００３８】
移動検知部２４０は、車両の移動状況を検知するセンサであり、制御部２６０と各種情報が送受信可能に接続されている。この移動検知部２４０は、車両が移動している際、または、移動しておらずとも直ちに移動可能な状況にある際などに、移動信号を生成する。また、移動検知部２４０は、車両が移動を停止している際、または車両のエンジンを切りアクセサリーキーのみをＯＮにしている際などに、移動停止信号を生成する。そして、移動検知部２４０は、これら移動信号および移動停止信号を制御部２６０へ送信する。なお、この移動検知部２４０としては、例えば、車両の走行方向における加速度を検出する加速度センサ、緯度および経度情報で表された車両の絶対的な位置情報を検出するＧＰＳ受信機、車両のホイールに使用されるハブユニットに装着されかつこのホイールの回転数を検出するＡＢＳセンサなどが適用できる。
【００３９】
メモリ２５０は、制御部２６０と各種情報が送受信可能に接続されている。そして、メモリ２５０は、所望のコンテンツデータを所定の出力部に再生出力させる際に必要な各種データなどを適宜読み出し可能に記憶する。すなわち、メモリ２５０は、図示しない設定情報記憶領域と、スロットイン設定情報記憶領域と、などを備えている。また、メモリ２５０は、コンテンツデータ再生システム１００全体を動作制御するＯＳ（Operating System）上に展開される各種プログラムなどを記憶している。このメモリ２５０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２５０としては、ＨＤ、ＤＶＤ、光ディスクなどの記録媒体に読み出し可能に記憶するドライブやドライバなどを備えた構成としてもよい。
【００４０】
設定情報記憶領域は、例えば図３に示すような設定情報６００を適宜読み出し可能に記憶する。この設定情報６００は、所定の再生装置で取得されたコンテンツデータを所定の出力部で再生出力可能な状態とするための情報である。また、設定情報６００は、第１入力操作部２２０または第２入力操作部３２０からの出力要求信号に基づいて制御部２６０により生成される。そして、設定情報６００は、前席設定情報６１０と、後席設定情報６２０と、などが１つのデータ構造として関連付けられて構成されている。
【００４１】
前席設定情報６１０は、第１再生装置２１０で取得したコンテンツデータを所定の出力部で再生出力可能な状態とするセレクタ２３０の出力回路に関する情報である。この前席設定情報６１０は、第１前席出力フラグ情報６１１と、第１前後席出力フラグ情報６１２と、前席非出力フラグ情報６１３と、などが１つのデータ構造として関連付けられて構成されている。
【００４２】
第１前席出力フラグ情報６１１は、第１再生装置２１０で取得したコンテンツデータを、前席すなわち第１出力部４００のみから再生出力可能な状態であることを示すフラグ情報である。具体的には、第１前席出力フラグ情報６１１のフラグが「１」であれば、第１再生装置２１０で取得したコンテンツデータを第１出力部４００のみから再生出力可能な状態であることを示す。一方、第１前席出力フラグ情報６１１のフラグが「０」であれば、第１出力部４００のみから再生出力させないことを示す。
【００４３】
第１前後席出力フラグ情報６１２は、第１再生装置２１０で取得したコンテンツデータを、前後席すなわち第１出力部４００および第２出力部５００の双方から再生出力可能な状態であることを示すフラグ情報である。具体的には、第１前後席出力フラグ情報６１２のフラグが「１」であれば、第１再生装置２１０で取得したコンテンツデータを第１出力部４００および第２出力部５００の双方から再生出力可能な状態であることを示す。一方、第１前後席出力フラグ情報６１２のフラグが「０」であれば第１出力部４００および第２出力部５００の双方から再生出力させないことを示す。
【００４４】
前席非出力フラグ情報６１３は、第１再生装置２１０および第２再生装置３１０で取得したコンテンツデータを第１出力部４００で再生出力させないためのフラグ情報である。具体的には、前席非出力フラグ情報６１３のフラグが「１」であれば、第１再生装置２１０および第２再生装置３１０で取得したコンテンツデータを第１出力部４００から出力させないことを示す。なお、第１前席出力フラグ情報６１１のフラグが「１」に設定されていても、前席非出力フラグ情報６１３のフラグが「１」であれば制御部２６０は第１出力部４００からは出力させない。一方、前席非出力フラグ情報６１３のフラグが「０」であれば第１再生装置２１０および第２再生装置３１０で取得したコンテンツデータを第１出力部４００から出力可能であることを示す。なお、前席非出力フラグ情報６１３は、移動検知部２４０から制御部２６０へ移動信号が送信されると制御部２６０によりフラグが「１」に適宜設定され、移動検知部２４０から制御部２６０へ移動停止信号が送信されると制御部２６０によりフラグが「０」に適宜設定される。
【００４５】
なお、本実施の形態では、第１再生装置２１０は同時に複数のコンテンツデータを取得しない構成としているため、第１前席出力フラグ情報６１１のフラグが「１」である場合は、第１前後席出力フラグ情報６１２のフラグが「０」となる。また、第１前後席出力フラグ情報６１２のフラグが「１」である場合は、第１前席出力フラグ情報６１１のフラグが「０」となる。
【００４６】
後席設定情報６２０は、第２再生装置３１０で取得したコンテンツデータを所定の出力部で再生出力可能な状態とするセレクタ２３０の出力回路に関する情報である。この後席設定情報６２０は、第２後席出力フラグ情報６２１と、第２前後席出力フラグ情報６２２と、後席非出力フラグ情報６２３と、などが１つのデータ構造として関連付けられて構成されている。
【００４７】
第２後席出力フラグ情報６２１は、第２再生装置３１０で取得したコンテンツデータを、後席すなわち第２出力部５００のみから再生出力可能な状態であることを示すフラグ情報である。具体的には、第２後席出力フラグ情報６２１のフラグが「１」であれば、第２再生装置３１０で取得したコンテンツデータを第２出力部５００のみから再生出力可能な状態であることを示す。一方、第２後席出力フラグ情報６２１のフラグが「０」であれば第２出力部５００のみから再生出力させないことを示す。
【００４８】
第２前後席出力フラグ情報６２２は、第２再生装置３１０で取得したコンテンツデータを、前後席すなわち第１出力部４００および第２出力部５００の双方から再生出力可能な状態であることを示すフラグ情報である。具体的には、第２前後席出力フラグ情報６２２のフラグが「１」であれば、第２再生装置３１０で取得したコンテンツデータを第１出力部４００および第２出力部５００の双方から再生出力可能な状態であることを示す。そして、第２前後席出力フラグ情報６２２のフラグが「０」であれば第１出力部４００および第２出力部５００の双方から再生出力させないことを示す。
【００４９】
後席非出力フラグ情報６２３は、第１再生装置２１０および第２再生装置で取得したコンテンツデータを第２出力部５００で再生出力させないことを示すフラグ情報である。具体的には、後席非出力フラグ情報６２３のフラグが「１」であれば、第１再生装置２１０および第２再生装置３１０で取得したコンテンツデータを第２出力部５００から再生出力させないことを示す。なお、第２後席出力フラグ情報６２１のフラグが「１」に設定されていても、後席非出力フラグ情報６２３のフラグが「１」であれば制御部２６０は第２出力部５００からは出力させない。一方、後席非出力フラグ情報６２３のフラグが「０」であれば、第１再生装置２１０および第２再生装置３１０で取得したコンテンツデータを第２出力部５００から再生出力可能であることを示す。
【００５０】
なお、本実施の形態では、第２再生装置３１０は同時に複数のコンテンツデータを取得しない構成としているため、第２後席出力フラグ情報６２１のフラグが「１」である場合は、第２前後席出力フラグ情報６２２のフラグが「０」となる。また、第２前後席出力フラグ情報６２２のフラグが「１」である場合は、第２後席出力フラグ情報６２１のフラグが「０」となる。そして、制御部２６０の制御により、第１前後席出力フラグ情報６１２のフラグが「１」である場合は、第２後席出力フラグ情報６２１および第２前後席出力フラグ情報６２２のフラグが「０」に設定される。また、第２前後席出力フラグ情報６２２のフラグが「１」である場合は、第１前席出力フラグ情報６１１および第１前後席出力フラグ情報６１２のフラグが「０」に設定される。以上の条件を踏まえると、設定情報６００におけるフラグの組み合わせは、表１に示す設定１ないし設定１２に示す組み合わせに限られる。
【００５１】
【表１】
2006209828.tif 000003
【００５２】
スロットイン設定情報記憶領域は、例えば図４に示すようなスロットイン設定情報７００を適宜読み出し可能に記憶する。このスロットイン設定情報７００は、ＣＤやＤＶＤなどのディスク状記録媒体を第１ディスク処理部２１１または第２ディスク処理部３１１にスロットインした際の、セレクタ２３０の出力回路に関する情報である。そして、スロットイン設定情報７００は、第１入力操作部２２０または第２入力操作部３２０からのスロットイン設定要求信号に基づいて制御部２６０により生成される。そして、スロットイン設定情報７００は、前席スロットイン設定情報７１０と、後席スロットイン設定情報７２０と、などが１つのデータ構造として関連付けられて構成されている。
【００５３】
前席スロットイン設定情報７１０は、第１ディスク処理部２１１にディスク状記録媒体をスロットインした際、第１ディスク処理部２１１で取得したコンテンツデータを所定の出力部で再生出力可能な状態にするセレクタ２３０の出力回路に関する情報である。この前席スロットイン設定情報７１０は、第１入力操作部２２０からのスロットイン設定要求信号に基づいて制御部２６０により生成される。そして、前席スロットイン設定情報７１０は、第１前席出力フラグ情報７１１と、第１前後席出力フラグ情報７１２と、前席非再生フラグ情報７１３と、などが１つのデータ構造として関連付けられて構成されている。
【００５４】
第１前席出力フラグ情報７１１は、第１ディスク処理部２１１にディスク状記録媒体をスロットインした際に、第１ディスク処理部２１１で取得したコンテンツデータを第１出力部４００のみで再生出力可能な状態にするためのフラグ情報である。具体的には、第１前席出力フラグ情報７１１のフラグが「１」であれば、第１ディスク処理部２１１にディスク状記録媒体をスロットインした際に第１出力部４００のみで再生出力可能な状態にすることを示す。つまり、第１前席出力フラグ情報６１１のフラグが「１」に設定される、すなわち、セレクタ２３０の出力回路が上記表１における設定１ないし設定４のいずれかに設定されることを示す。一方、第１前席出力フラグ情報７１１のフラグが「０」であればセレクタ２３０の出力回路の設定に関与しないことを示す。
【００５５】
第１前後席出力フラグ情報７１２は、第１ディスク処理部２１１にディスク状記録媒体をスロットインした際に、第１ディスク処理部２１１で取得したコンテンツデータを第１出力部４００および第２出力部５００の双方で再生出力可能な状態にするためのフラグ情報である。具体的には、第１前後席出力フラグ情報７１２のフラグが「１」であれば、第１ディスク処理部でスロットイン再生した際に第１出力部４００および第２出力部５００の双方で再生出力可能な状態にすることを示す。つまり、第１前後席出力フラグ情報６１２のフラグが「１」に設定される、すなわち、セレクタ２３０の出力回路が上記表１における設定５ないし設定８のいずれかに設定されることを示す。一方、第１前後席出力フラグ情報７１２のフラグが「０」であれば、セレクタ２３０の出力回路の設定に関与しないことを示す。
【００５６】
前席非再生フラグ情報７１３は、第１ディスク処理部２１１にスロットインした際に、第１ディスク処理部２１１にコンテンツデータの取得を実施させないためのフラグ情報である。具体的には、前席非再生フラグ情報７１３が「１」であれば第１ディスク処理部２１１にディスク状記録媒体をスロットインしてもコンテンツデータの取得を実施しないことを示し、「０」であれば第１ディスク処理部２１１にスロットインするとディスク状記録媒体に記載されたコンテンツデータの取得を実施することを示す。
【００５７】
後席スロットイン設定情報７２０は、第２ディスク処理部３１１にディスク状記録媒体をスロットインした際、第２ディスク処理部３１１により取得したコンテンツデータを所定の出力部で再生出力可能な状態にするセレクタ２３０の出力回路に関する情報である。この後席スロットイン設定情報７２０は、第２入力操作部３２０からのスロットイン設定要求信号に基づいて制御部２６０により生成される。そして、後席スロットイン設定情報７２０は、第２後席出力フラグ情報７２１と、第２前後席出力フラグ情報７２２と、後席非再生フラグ情報７２３と、などが１つのデータ構造として関連付けられて構成されている。
【００５８】
第２後席出力フラグ情報７２１は、第２ディスク処理部３１１にディスク状記録媒体をスロットインした際に、第２ディスク処理部３１１で取得したコンテンツデータを第２出力部５００のみで再生出力可能な状態にするためのフラグ情報である。具体的には、第２後席出力フラグ情報７２１のフラグが「１」であれば、第２ディスク処理部３１１にディスク状記録媒体をスロットインした際に第２出力部５００のみで再生出力可能な状態にすることを示す。つまり、第２後席出力フラグ情報６２１のフラグが「１」に設定される、すなわち、セレクタ２３０の出力回路が上記表１における設定１ないし設定４のいずれかに設定されることを示す。一方、第２後席出力フラグ情報７２１のフラグが「０」であれば、セレクタ２３０の出力回路の設定に関与しないことを示す。
【００５９】
第２前後席出力フラグ情報７２２は、第２ディスク処理部３１１にディスク状記録媒体をスロットインした際に、第２ディスク処理部３１１で取得したコンテンツデータを第１出力部４００および第２出力部５００の双方で再生出力可能な状態にするためのフラグ情報である。具体的には、第２前後席出力フラグ情報７２２のフラグが「１」であれば、第２ディスク処理部にスロットイン再生した際に第１出力部４００および第２出力部５００の双方で再生出力可能な状態にすることを示す。つまり、第２前後席出力フラグ情報６２２のフラグが「１」に設定される、すなわち、セレクタ２３０の出力回路が上記表１における設定９ないし設定１２のいずれかに設定されることを示す。一方、第２前後席出力フラグ情報７２２のフラグが「０」であれば、セレクタ２３０の出力回路の設定に関与しないことを示す。
【００６０】
後席非再生フラグ情報７２３は、第２ディスク処理部３１１にスロットインした際に、第２ディスク処理部３１１にコンテンツデータの取得を実施させないためのフラグ情報である。具体的には、後席非再生フラグ情報７２３が「１」であれば第２ディスク処理部３１１にディスク状記録媒体をスロットインしてもコンテンツデータの取得を実施しないことを示し、「０」であれば第２ディスク処理部３１１にスロットインするとディスク状記録媒体に記載されたコンテンツデータの取得を実施することを示す。
【００６１】
制御部２６０は、例えばＣＰＵ（Central Processing Unit）を備え、図示しない各入出力ポート、例えば第１再生装置２１０および第２再生装置３１０が接続される再生ポート、第１入力操作部２２０および第２入力操作部３２０が接続される操作ポート、セレクタ２３０が接続される切換ポート、移動検知部２４０が接続される移動検出ポート、メモリ２５０が接続されるメモリポート、などを有する。そして、制御部２６０は、各種プログラムとして、図２に示すように、移動状況認識手段２６１と、取得要求認識手段および出力要求認識手段としての入力信号認識手段２６２と、再生出力制御手段としても機能する出力設定認識手段２６３と、再生出力制御手段としても機能する設定情報生成手段２６４と、再生出力制御手段としても機能する出力切換制御手段２６６と、再生出力制御手段２６５と、設定画面生成手段２６７と、などを備えている。
【００６２】
移動状況認識手段２６１は、車両の移動状況を認識する。具体的には、移動状況認識手段２６１は、移動検知部２４０から送信された移動信号を受信すると、車両が移動している移動状況または前記車両が直ちに移動できる移動状況であることを認識する。また、移動状況認識手段２６１は、移動検知部２４０から送信された移動停止信号を受信すると、車両が直ちに移動できない移動状況であることを認識する。
【００６３】
入力信号認識手段２６２は、第１入力操作部２２０および第２入力操作部３２０からの入力操作による取得要求信号と、第１ディスク処理部２１１および第２ディスク処理部３１１からのスロットインによる取得要求信号と、を認識する。具体的には、入力信号認識手段２６２は、取得要求信号を受信するとその取得要求信号が第１入力操作部２２０または第２入力操作部３２０のいずれから送信されたものかを認識し、また、スロットインによる取得要求信号が第１スロットイン検出手段または第２スロットイン検出手段のいずれから送信されたものかを認識する。そして、取得要求されているコンテンツデータの種類、すなわち、第１再生装置２１０もしくは第２再生装置３１０における複数のコンテンツデータのうちどのコンテンツデータの取得を要求しているかを認識する。
【００６４】
また、入力信号認識手段２６２は、第１入力操作部２２０および第２入力操作部３２０からの入力操作による出力要求信号と、第１ディスク処理部２１１および第２ディスク処理部３１１からのスロットインによる出力要求信号と、を認識する。具体的には、入力信号認識手段２６２は、出力要求信号を受信するとその出力要求信号が第１入力操作部２２０または第２入力操作部３２０のいずれから送信されたものかを認識し、また、スロットインによる出力要求信号が第１スロットイン検出手段または第２スロットイン検出手段のいずれから送信されたものかを認識する。
【００６５】
そして、入力信号認識手段２６２は、第１入力操作部２２０および第２入力操作部３２０から操作入力される停止要求信号を認識する。具体的には、入力信号認識手段２６２は、停止要求信号を受信するとその停止要求信号が第１入力操作部２２０または第２入力操作部３２０のいずれから送信されたものかを認識する。そして、第１再生装置２１０または第２再生装置３１０におけるいずれのコンテンツデータの取得を停止要求しているのかを認識する。
【００６６】
さらに、入力信号認識手段２６２は、現在再生出力中のコンテンツデータが動画データであるか否かを認識する。具体的には入力信号認識手段２６２は、第１再生装置２１０または第２再生装置でのＤＶＤまたはＴＶの再生要求がされたことを認識してから、当該ＤＶＤまたはＴＶの再生を停止する要求がされたことを認識するまで、あるいは、新たにＤＶＤまたはＴＶ以外の再生要求がされたことを認識するまで、現在再生出力中のコンテンツデータが動画データであると認識する。
【００６７】
また、入力信号認識手段２６２は、第１入力操作部２２０および第２入力操作部３２０から操作入力されるスロットイン設定要求信号を認識する。具体的には、入力信号認識手段２６２は、第１入力操作部２２０からスロットイン設定要求信号を認識すると、前席スロットイン設定情報７１０の設定をする旨の要求を認識する。また、入力信号認識手段２６２は、第２入力操作部３２０からスロットイン設定要求信号を認識すると、後席スロットイン設定情報７２０の設定をする旨の要求を認識する。
【００６８】
出力設定認識手段２６３は、第１入力操作部２２０または第２入力操作部３２０からの出力要求信号に基づいて、要求された設定を適宜認識する。具体的には、出力設定認識手段２６３は、入力信号認識手段２６２により第１入力操作部２２０または第２入力操作部３２０からの出力要求信号が認識されると、認識された出力要求信号に基づいて、要求されたセレクタ２３０の出力回路の設定を認識する。
【００６９】
また、出力設定認識手段２６３は、入力信号認識手段２６２によりスロットインによる出力要求信号が認識されると、スロットイン設定情報７００に基づいて、要求された設定を適宜認識する。具体的には、出力設定認識手段２６３は、入力信号認識手段２６２により第１ディスク処理部２１１からのスロットインによる出力要求信号が認識されると、前席スロットイン設定情報７１０に基づいて、要求されたセレクタ２３０の出力回路の設定を認識する。また、入力信号認識手段２６２により第２ディスク処理部３１１からのスロットインによる出力要求信号が認識されると、後席スロットイン設定情報７２０に基づいて、要求されたセレクタ２３０の出力回路の設定を認識する。
【００７０】
そして、出力設定認識手段２６３は、第1出力部４００への出力が制限されている場合、前席に出力可能な設定を認識する。具体的には、出力設定認識手段２６３は、第1出力部４００への出力が制限されている場合、入力信号認識手段２６２により認識された出力要求信号に基づいて、要求された設定で第1出力部４００が出力要求の対象に含まれているか否かに関わらず、要求されたセレクタ２３０の出力回路の設定を認識する。
【００７１】
また、出力設定認識手段２６３は、第1出力部４００への出力が制限されている場合、前席に出力しない設定を認識する。具体的には、出力設定認識手段２６３は、第1出力部４００への出力が制限されている場合、入力信号認識手段２６２により認識された出力要求信号に基づいて、前席に出力しない設定を認識する。すなわち、要求された設定において第1出力部４００が出力要求の対象に含まれている場合は、要求されたセレクタ２３０の出力回路の設定で第１出力部４００を出力対象に含まないセレクタ２３０の出力回路の設定を認識する。また、要求された設定において第1出力部４００が出力要求の対象に含まれていない場合は、要求されたセレクタ２３０の出力回路の設定を認識する。つまり、前席に出力しない設定とは、要求されたセレクタ２３０の出力回路の設定のうち、第１出力部４００を出力対象に含まないセレクタ２３０の出力回路の設定である。
【００７２】
すなわち、例えば、出力設定認識手段２６３は、現在再生出力中のコンテンツデータが動画データである場合、車両の移動状況に応じてセレクタ２３０の出力回路の設定を適宜認識する。具体的には、出力設定認識手段２６３は、移動状況認識手段２６１により車両が移動している移動状況または前記車両が直ちに移動できる移動状況であることが認識され、入力信号認識手段２６２により現在再生出力中のコンテンツデータが動画データであると認識されている場合、前席に出力させない設定、すなわち第１出力部４００で再生出力させないセレクタ２３０の出力回路の設定を認識する。また、設定情報生成手段２６４は、移動状況認識手段２６１により車両が直ちに移動できない移動状況であることが認識され、入力信号認識手段２６２により現在再生出力中のコンテンツデータが動画データであると認識されている場合、前席で出力可能な設定、すなわち第１出力部４００で再生出力可能なセレクタ２３０の出力回路の設定を認識する。
【００７３】
また、出力設定認識手段２６３は、車両が移動中に動画データの再生要求がされた場合、要求の発信元に応じて出力要求信号の要求を適宜調整したセレクタ２３０の出力回路の設定を適宜認識する。具体的には、出力設定認識手段２６３は、移動状況認識手段２６１により車両が移動している移動状況または前記車両が直ちに移動できる移動状況であることが認識され、入力信号認識手段２６２により第１入力操作部２２０または第１ディスク処理部２１１からＤＶＤまたはＴＶの再生要求がされたことが認識された場合、前席で出力可能な設定、すなわち出力要求信号に基づきかつ第１出力部４００で再生出力可能なセレクタ２３０の出力回路の設定を認識する。また、出力設定認識手段２６３は、移動状況認識手段２６１により車両が移動している移動状況または前記車両が直ちに移動できる移動状況であることが認識され、入力信号認識手段２６２により第２入力操作部３２０または第２ディスク処理部３１１からＤＶＤまたはＴＶの再生要求がされたことが認識された場合、前席に出力させない設定、すなわち出力要求信号に基づきかつ第１出力部４００で再生出力させないセレクタ２３０の出力回路の設定を認識する。
【００７４】
そして、出力設定認識手段２６３は、車両が移動停止中に動画データの再生要求がされた場合、要求の発信元に関係なく出力要求信号に基づいてセレクタ２３０の出力回路の設定を適宜認識する。具体的には、出力設定認識手段２６３は、移動状況認識手段２６１により車両が移動している移動状況または前記車両が直ちに移動できる移動状況であることが認識され、入力信号認識手段２６２により第１入力操作部２２０または第１ディスク処理部２１１からＤＶＤまたはＴＶの再生要求がされたことが認識された場合、前席で出力可能な設定、すなわち出力要求信号に基づきかつ第１出力部４００で再生出力可能なセレクタ２３０の出力回路の設定を認識する。また、出力設定認識手段２６３は、移動状況認識手段２６１により車両が移動している移動状況または前記車両が直ちに移動できる移動状況であることが認識され、入力信号認識手段２６２により第２入力操作部３２０または第２ディスク処理部３１１からＤＶＤまたはＴＶの再生要求がされたことが認識された場合、前席で出力可能な設定、すなわち出力要求信号に基づきかつ第１出力部４００で再生出力可能なセレクタ２３０の出力回路の設定を認識する。
【００７５】
さらに、出力設定認識手段２６３は、現在車両が移動中であって動画データを再生出力中に出力部の変更が要求された場合、要求の発信元に応じて適宜調整したセレクタ２３０の出力回路の設定を適宜認識する。具体的には、出力設定認識手段２６３は、移動状況認識手段２６１により車両が移動している移動状況または前記車両が直ちに移動できる移動状況であることが認識され、入力信号認識手段２６２により現在再生出力中のコンテンツデータが動画データであると認識されている場合において、入力信号認識手段２６２により出力部の変更を要求する出力要求信号が第1入力操作部２２０より送信されたと認識されると、前席で出力可能な設定、すなわち第１出力部４００で再生出力可能なセレクタ２３０の出力回路の設定を認識する。また、上記の場合において、入力信号認識手段２６２により出力部の変更を要求する出力要求信号が第２入力操作部３２０より送信されたと認識されると、前席に出力させない設定、すなわち出力要求信号に基づきかつ第１出力部４００で再生出力させないセレクタ２３０の出力回路の設定を認識する。
【００７６】
設定情報生成手段２６４は、出力設定認識手段２６３により認識されたセレクタ２３０の出力回路の設定に基づいて設定情報６００を適宜生成する。具体的には、設定情報生成手段２６４は、入力信号認識手段２６２により出力要求信号が認識され、これにより出力設定認識手段２６３がセレクタ２３０の出力回路の設定を認識すると、認識されたセレクタ２３０の出力回路の設定に基づいて設定情報６００における種々の情報を変更する。すなわち、出力設定認識手段２６３により認識されたセレクタ２３０の出力回路の設定に対応した、フラグ第１前席出力フラグ情報６１１と、第１前後席出力フラグ情報６１２と、前席非出力フラグ情報６１３と、第２後席出力フラグ情報６２１と、第２前後席出力フラグ情報６２２と、後席非出力フラグ情報６２３と、を生成し、これらのフラグ情報を設定情報６００に組み込んでメモリ２５０の設定情報記憶領域に記憶させる。
【００７７】
そして、設定情報生成手段２６４は、第１入力操作部２２０からの入力操作により、前席スロットイン設定情報７１０についてのスロットイン設定要求信号を入力信号認識手段２６２が認識すると、入力信号認識手段２６２にて認識されたスロットイン設定要求信号に基づいて前席スロットイン設定情報７１０を設定する。すなわち、設定情報生成手段２６４は、第１前席出力フラグ情報７１１のフラグを「１」に設定する要求がされたときは、第１前席出力フラグ情報７１１のフラグを「１」に設定し、第１前後席出力フラグ情報７１２および前席非再生フラグ情報７１３のフラグを「０」に設定する。また、第１前後席出力フラグ情報７１２のフラグを「１」に設定する要求がされたときは、第１前後席出力フラグ情報７１２のフラグを「１」に設定し、第１前席出力フラグ情報７１１および前席非再生フラグ情報７１３のフラグを「０」に設定する。そして、前席非再生フラグ情報７１３のフラグを「１」に設定する要求がされたときは、前席非再生フラグ情報７１３のフラグを「１」に設定し、第１前席出力フラグ情報７１１および第１前後席出力フラグ情報７１２のフラグを「０」に設定する。さらに、これらのフラグ情報を前席スロットイン設定情報７１０に組み込んでメモリ２５０のスロットイン設定情報記憶領域に記憶させる。
【００７８】
また、設定情報生成手段２６４は、第２入力操作部３２０からの入力操作により、後席スロットイン設定情報７２０についてのスロットイン設定要求信号を入力信号認識手段２６２が認識すると、入力信号認識手段２６２にて認識されたスロットイン設定要求信号に基づいて後席スロットイン設定情報７２０を設定する。すなわち、設定情報生成手段２６４は、第２後席出力フラグ情報７２１のフラグを「１」に設定する要求がされたときは、第２後席出力フラグ情報７２１のフラグを「１」に設定し、第２前後席出力フラグ情報７２２および後席非再生フラグ情報７２３のフラグを「０」に設定する。また、第２前後席出力フラグ情報７２２のフラグを「１」に設定する要求がされたときは、第２前後席出力フラグ情報７２２のフラグを「１」に設定し、第２後席出力フラグ情報７２１および後席非再生フラグ情報７２３のフラグを「０」に設定する。そして、後席非再生フラグ情報７２３のフラグを「１」に設定する要求がされたときは、後席非再生フラグ情報７２３のフラグを「１」に設定し、第２後席出力フラグ情報７２１および第２前後席出力フラグ情報７２２のフラグを「０」に設定する。さらに、これらのフラグ情報を後席スロットイン設定情報７２０に組み込んでメモリ２５０のスロットイン設定情報記憶領域に記憶させる。
【００７９】
再生出力制御手段２６５は、入力信号認識手段２６２により認識された取得要求信号に基づいて、第１再生装置２１０または第２再生装置３１０に所定のコンテンツデータを再生出力させる制御をする。具体的には、再生出力制御手段２６５は、入力信号認識手段２６２により認識された第１入力操作部２２０または第２入力操作部３２０からの取得要求信号に基づいて、第１再生装置２１０または第２再生装置３１０に所定のコンテンツデータを取得させる。そして、再生出力制御手段２６５は、第１再生装置２１０または第２再生装置３１０に取得させたコンテンツデータを適宜処理させた後に、このコンテンツデータをセレクタ２３０に送信させる。
【００８０】
また、再生出力制御手段２６５は、入力信号認識手段２６２により認識された第１ディスク処理部２１１または第２ディスク処理部３１１からのスロットインによる取得要求信号に基づいて、第１ディスク処理部２１１または第２ディスク処理部３１１に所定のコンテンツデータを取得させる。そして、再生出力制御手段２６５は、第１ディスク処理部２１１または第２ディスク処理部３１１に取得させたコンテンツデータを適宜処理させた後に、このコンテンツデータをセレクタ２３０に送信させる。
【００８１】
そして、再生出力制御手段２６５は、入力信号認識手段２６２により第１入力操作部２２０または第２入力操作部３２０から送信された停止要求信号が認識されると、第１再生装置２１０および第２再生装置３１０にコンテンツデータの取得を停止させる。
【００８２】
出力切換制御手段２６６は、設定情報生成手段２６４により生成された設定情報６００に基づいてセレクタ２３０の出力回路を適宜切り換えさせ、第１再生装置２１０および第２再生装置３１０から送信された所定のコンテンツデータを所定の出力部に再生出力させる。具体的には、入力信号認識手段２６２により出力要求信号が認識されると、設定情報生成手段２６４により生成された設定情報６００に基づいてセレクタ２３０に出力回路を切り換えさせ、第１再生装置２１０および第２再生装置３１０からセレクタ２３０に送信された所定のコンテンツデータを所定の出力部に再生出力させる。
【００８３】
すなわち、出力切換制御手段２６６は、設定情報生成手段２６４にて生成された設定情報６００において、第１前席出力フラグ情報６１１のフラグが「１」に設定されていれば、第１再生装置２１０で取得したコンテンツデータを第１出力部４００のみから再生出力させるようにセレクタ２３０の出力回路を適宜切り換える。第１前後席出力フラグ情報６１２のフラグが「１」に設定されていれば、第１再生装置２１０で取得したコンテンツデータを第１出力部４００および第２出力部５００の双方から再生出力させるようにセレクタ２３０の出力回路を適宜切り換える。前席非出力フラグ情報６１３のフラグが「１」に設定されていれば、第１再生装置２１０および第２再生装置３１０で取得したコンテンツデータを第１出力部４００から出力させないようにセレクタ２３０の出力回路を適宜切り換える。
【００８４】
また、出力切換制御手段２６６は、第２後席出力フラグ情報６２１のフラグが「１」に設定されていれば、第２再生装置３１０で取得したコンテンツデータを第２出力部５００のみから再生出力させるようにセレクタ２３０の出力回路を適宜切り換える。第２前後席出力フラグ情報６２２のフラグが「１」に設定されていれば、第２再生装置３１０で取得したコンテンツデータを第１出力部４００および第２出力部５００の双方から再生出力させるようにセレクタ２３０の出力回路を適宜切り換える。後席非出力フラグ情報６２３のフラグが「１」に設定されていれば、第１再生装置２１０および第２再生装置３１０で取得したコンテンツデータを第２出力部５００から再生出力させないようにセレクタ２３０の出力回路を適宜切り換える。
【００８５】
設定画面生成手段２６７は、例えば図５に示すスロットイン設定メニュー８００を生成し、第１表示部４２０または第２表示部５２０に表示させる。具体的には、設定画面生成手段２６７は、第１入力操作部２２０からの入力操作による前席スロットイン設定情報７１０についてのスロットイン設定要求信号が入力信号認識手段２６２により認識されると、スロットイン設定メニュー８００を第１表示部４２０に表示させる。また、第２入力操作部３２０からの入力操作による後席スロットイン設定情報７２０についてのスロットイン設定要求信号が入力信号認識手段２６２により認識されると、スロットイン設定メニュー８００を第２表示部５２０に表示させる。
【００８６】
ここで、スロットイン設定メニュー８００は、第１入力操作部２２０または第２入力操作部３２０からの入力操作によりスロットイン設定情報７００についての変更を要求する際に表示される設定画面である。このスロットイン設定メニュー８００は、図５に示すように、前席のみ設定表示領域８１０と、後席のみ設定表示領域８２０と、前席＆後席設定表示領域８３０と、再生しない設定表示領域８４０と、がそれぞれ縦横に配置された構成となっている。
【００８７】
前席のみ設定表示領域８１０は、第１前席出力フラグ情報７１１のフラグを「１」に設定するための表示領域であり、第１入力操作部２２０からの入力操作の際に選択可能な状態で表示される。そして、この前席のみ設定表示領域８１０を第１入力操作部２２０にて選択することにより、第１前席出力フラグ情報７１１のフラグを「１」に設定する旨のスロットイン設定要求信号が入力信号認識手段２６２に送信される。後席のみ設定表示領域８２０は、第２後席出力フラグ情報７２１のフラグを「１」に設定するための表示領域であり、第２入力操作部３２０からの入力操作の際に選択可能な状態で表示される。そして、この後席のみ設定表示領域８２０を第２入力操作部３２０にて選択することにより、第２後席出力フラグ情報７２１のフラグを「１」に設定する旨のスロットイン設定要求信号が入力信号認識手段２６２に送信される。
【００８８】
また、前席＆後席設定表示領域８３０は、第１前後席出力フラグ情報７１２または第２前後席出力フラグ情報７２２のフラグを「１」に設定するための表示領域であり、第１入力操作部２２０または第２入力操作部３２０からの入力操作の際に選択可能な状態で表示される。そして、この前席＆後席設定表示領域８３０を第１入力操作部２２０または第２入力操作部３２０にて選択することにより、第１前後席出力フラグ情報７１２または第２前後席出力フラグ情報７２２のフラグを「１」に設定する旨のスロットイン設定要求信号が入力信号認識手段２６２に送信される。再生しない設定表示領域８４０は、前席非再生フラグ情報７１３または後席非再生フラグ情報７２３のフラグを「１」に設定するための表示領域であり、第１入力操作部２２０または第２入力操作部３２０からの入力操作の際に選択可能な状態で表示される。そして、この再生しない設定表示領域８４０を第１入力操作部２２０または第２入力操作部３２０にて選択することにより、前席非再生フラグ情報７１３または後席非再生フラグ情報７２３のフラグを「１」に設定する旨のスロットイン設定要求信号が入力信号認識手段２６２に送信される。
【００８９】
また、設定画面生成手段２６７は、例えば図６に示す設定画面としての設定メニュー９００を生成し、第１表示部４２０または第２表示部５２０に表示させる。具体的には、設定画面生成手段２６７は、第１入力操作部２２０からの操作による出力部の変更要求に関する出力要求信号が入力信号認識手段２６２により認識されると、設定メニュー９００を第１表示部４２０に表示させる。同様に、第２入力操作部３２０からの操作による出力部の変更要求に関する出力要求信号が入力信号認識手段２６２により認識されると、設定メニュー９００を第２表示部５２０に表示させる。
【００９０】
ここで、設定メニュー９００は、第１入力操作部２２０または第２入力操作部３２０からの入力操作により設定情報６００についての変更を要求する際に表示される設定画面である。この設定メニュー９００は、図６に示すように、配置表示領域９１０と、前席再生ソース情報表示領域９２０と、後席再生ソース情報表示領域９３０と、ＯＫボタン表示領域９４０と、キャンセルボタン表示領域９５０と、が所定の位置に配設されて構成されている。
【００９１】
配置表示領域９１０には、車両内における第１再生装置２１０と、第２再生装置３１０と、第１出力部４００と、第２出力部５００と、のそれぞれの概略的な配置が示されている。この配置表示領域９１０は、第１再生装置表示領域９１１と、第２再生装置表示領域９１２と、第１出力部表示領域９１３と、第２出力部表示領域９１４と、が所定の位置に配設されている。
【００９２】
第１再生装置表示領域９１１は、第１再生装置２１０の配置および第１再生装置２１０が備える各ソースを示し、第１入力操作部２２０または第２入力操作部３２０からの入力操作で第１再生装置表示領域９１１の所定のソースを選択することにより、第１再生装置２１０の所定のソースでコンテンツデータを取得する旨の取得要求信号が生成される。第２再生装置表示領域９１２は、第２再生装置３１０の配置および第２再生装置３１０が備える各ソースを示し、第１入力操作部２２０または第２入力操作部３２０からの入力操作で第２再生装置表示領域９１２の所定のソースを選択することにより、第２再生装置３１０の所定のソースでコンテンツデータを取得する旨の取得要求信号が生成される。なお、選択された第１再生装置表示領域９１１の所定のソースや第２再生装置表示領域９１２の所定のソースは、例えば図６に示すように所定の線で表示を囲むなどして差別化して表示する構成とすることができる。
【００９３】
第１出力部表示領域９１３は、第１出力部４００の配置を示し、第１入力操作部２２０または第２入力操作部３２０からの入力操作で第１出力部表示領域９１３を選択することにより、第１出力部４００に出力させる旨の出力変更要求信号が生成される。第２出力部表示領域９１４は、第２出力部５００の配置を示し、第１入力操作部２２０または第２入力操作部３２０からの入力操作で第１出力部表示領域９１３を選択することにより、第１出力部４００に出力させる旨の出力変更要求信号が生成される。なお、選択された第１出力部表示領域９１３や第２出力部表示領域９１４は、例えば図６に示すように点灯表示させるなどして差別化して表示する構成とすることができる。
【００９４】
前席再生ソース情報表示領域９２０は、第１再生装置２１０における現在再生中のソース、再生時間など、再生ソース情報における所定の情報が示される。後席再生ソース情報表示領域９３０は、第２再生装置３１０における現在再生中のソース、再生時間など、再生ソース情報における所定の情報が示される。
【００９５】
ＯＫボタン表示領域９４０は、第１入力操作部２２０または第２入力操作部３２０からの入力操作により配置表示領域９１０の種々の表示を選択した際、この選択を確定させ入力信号認識手段２６２に取得要求信号または出力変更要求信号を送信するために使用される表示である。すなわち、第１入力操作部２２０または第２入力操作部３２０からの入力操作により配置表示領域９１０の種々の表示を選択して取得要求信号または出力変更要求信号を生成させた後に、このＯＫボタン表示領域９４０を選択することで入力信号認識手段２６２に取得要求信号または出力変更要求信号が送信される。
【００９６】
キャンセルボタン表示領域９５０は、第１入力操作部２２０または第２入力操作部３２０からの入力操作で配置表示領域９１０の種々の表示を選択した際、この選択を解除させるために使用される表示である。すなわち、第１入力操作部２２０または第２入力操作部３２０からの入力操作により配置表示領域９１０の種々の表示を選択して取得要求信号または出力変更要求信号を生成させた後に、このキャンセルボタン表示領域９５０を選択することで生成した取得要求信号または出力変更要求信号が消去される。
【００９７】
〔コンテンツデータ再生システムの動作〕
次に、コンテンツデータ再生システム１００の動作について、図面に基づいて説明する。
【００９８】
（コンテンツデータ再生システム１００の再生出力処理）
まず、コンテンツデータ再生システム１００の動作として、コンテンツデータ再生システム１００の再生出力処理について図７に基づいて説明する。図７は、コンテンツデータ再生システム１００の再生出力処理を示すフローチャートである。
【００９９】
まず、コンテンツデータ再生システム１００の電源がＯＮの状態で利用者からの入力を待機する状態となっている場合において、利用者からの入力操作により所定のコンテンツデータの再生出力が要求されると、入力信号認識手段２６２は取得要求信号および出力要求信号を認識する。そして、入力信号認識手段２６２は、取得要求信号に基づいて再生出力要求されたコンテンツデータが動画データであるか否かを認識する（ステップＳ１０１）。そして、入力信号認識手段２６２により再生出力要求されたコンテンツデータが動画データでないと判断された場合、出力設定認識手段２６３は、入力信号認識手段２６２にて認識された出力要求信号に基づいて、要求された設定を認識する（ステップＳ１０２）。
【０１００】
すなわち、出力設定認識手段２６３は、入力信号認識手段２６２により認識された第１入力操作部２２０または第２入力操作部３２０からの出力要求信号に基づいて、要求されたセレクタ２３０の出力回路の設定を認識する。また、出力設定認識手段２６３は、第１ディスク処理部２１１または第２ディスク処理部３１１へのＣＤのスロットインによる出力要求信号であると入力信号認識手段２６２により認識された場合、前席スロットイン設定情報７１０または後席スロットイン設定情報７２０におけるセレクタ２３０の出力回路の設定を認識する。
【０１０１】
この後、制御部２６０は、要求された設定で再生出力させる（ステップＳ１０３）。すなわち、設定情報生成手段２６４は、出力設定認識手段２６３により認識された要求された設定に基づいて、設定情報６００を生成する。そして、再生出力制御手段２６５は、入力信号認識手段２６２により認識された取得要求信号に基づいて、所定の再生装置に所定のコンテンツデータを取得させ、取得したコンテンツデータをセレクタ２３０に送信させる。さらに、出力切換制御手段２６６は、設定情報生成手段２６４により生成された設定情報６００に基づいてセレクタ２３０の出力回路を切り換えさせ、所定のコンテンツデータを所定の出力部に再生出力させる。
【０１０２】
一方、ステップＳ１０１において、入力信号認識手段２６２により再生要求されたコンテンツデータが動画コンテンツを含むと判断された場合、移動状況認識手段２６１は、移動中であるか否か、すなわち現在車両が移動している移動状況または前記車両が直ちに移動できる移動状況であるか否かを認識する（ステップＳ１０４）。そして、移動状況認識手段２６１により移動中でないと認識された場合、出力設定認識手段２６３は、入力信号認識手段２６２にて認識された出力要求信号に基づいて前席に出力可能な設定を認識する（ステップＳ１０５）。
【０１０３】
すなわち、出力設定認識手段２６３は、入力信号認識手段２６２により認識された第１入力操作部２２０または第２入力操作部３２０からの出力要求信号に基づいて、前席に出力可能なセレクタ２３０の出力回路の設定を認識する。また、出力設定認識手段２６３は、第１ディスク処理部２１１または第２ディスク処理部３１１へのＤＶＤのスロットインによる出力要求信号であると入力信号認識手段２６２により認識された場合、前席スロットイン設定情報７１０または後席スロットイン設定情報７２０に基づいて前席に出力可能なセレクタ２３０の出力回路の設定を認識する。
【０１０４】
そして、制御部２６０は、前席に出力可能な設定で再生出力させる（ステップＳ１０６）。すなわち、設定情報生成手段２６４は、出力設定認識手段２６３により認識された前席に出力可能な設定に基づいて、設定情報６００を生成する。そして、再生出力制御手段２６５は、入力信号認識手段２６２により認識された取得要求信号に基づいて、所定の再生装置に所定のコンテンツデータを取得させ、取得したコンテンツデータをセレクタ２３０に送信させる。さらに、出力切換制御手段２６６は、設定情報生成手段２６４により生成された設定情報６００に基づいてセレクタ２３０の出力回路を切り換えさせ、所定のコンテンツデータを所定の出力部に再生出力させる。
【０１０５】
一方、ステップＳ１０４において、移動状況認識手段２６１により移動中であると認識された場合、入力信号認識手段２６２は、前席からの要求か否か、すなわち第１入力操作部２２０または第１ディスク処理部２１１からの要求であるか否かを認識する（ステップＳ１０７）。そして、入力信号認識手段２６２により前席からの要求であると認識された場合、出力設定認識手段２６３は、入力信号認識手段２６２にて認識された出力要求信号に基づいて前席に出力可能な設定を認識する（ステップＳ１０８）。
【０１０６】
すなわち、出力設定認識手段２６３は、入力信号認識手段２６２により認識された第１入力操作部２２０からの出力要求信号に基づいて、前席に出力可能なセレクタ２３０の出力回路の設定を認識する。また、出力設定認識手段２６３は、第１ディスク処理部２１１へのＤＶＤのスロットインによる出力要求信号であると入力信号認識手段２６２により認識された場合、前席スロットイン設定情報７１０に基づいて、前席に出力可能なセレクタ２３０の出力回路の設定を認識する。
【０１０７】
そして、制御部２６０は、前席に出力可能な設定で再生出力させる（ステップＳ１０９）。すなわち、設定情報生成手段２６４は、出力設定認識手段２６３により認識された前席に出力可能な設定に基づいて、設定情報６００を生成する。そして、再生出力制御手段２６５は、入力信号認識手段２６２により認識された取得要求信号に基づいて、所定の再生装置に所定のコンテンツデータを取得させ、取得したコンテンツデータをセレクタ２３０に送信させる。さらに、出力切換制御手段２６６は、設定情報生成手段２６４により生成された設定情報６００に基づいてセレクタ２３０の出力回路を切り換えさせ、所定のコンテンツデータを所定の出力部に再生出力させる。
【０１０８】
一方、ステップＳ１０７において、入力信号認識手段２６２により前席からの要求でない、すなわち第２入力操作部３２０または第２ディスク処理部３１１からの要求であると認識された場合、出力設定認識手段２６３は、前席に出力しない設定を認識する（ステップＳ１１０）。すなわち、出力設定認識手段２６３は、出力要求信号が第２入力操作部３２０から送信された場合、入力信号認識手段２６２により認識された第２入力操作部３２０からの出力要求信号に基づいて、要求されたセレクタ２３０の出力回路の設定を認識する。そして、要求されたセレクタ２３０の出力回路の設定で第１出力部４００を出力対象に含まない出力回路の設定を認識する。また、出力設定認識手段２６３は、出力要求信号が第２ディスク処理部３１１へのＤＶＤのスロットインによる出力要求信号であると入力信号認識手段２６２により認識された場合、後席スロットイン設定情報７２０に基づいて、要求されたセレクタ２３０の出力回路の設定を認識する。そして、後席スロットイン設定情報７２０に基づくセレクタ２３０の出力回路の設定で第１出力部４００を出力対象に含まない出力回路の設定を認識する。
【０１０９】
この後、制御部２６０は、前席に出力しない設定で再生出力させる（ステップＳ１１１）。すなわち、設定情報生成手段２６４は、出力設定認識手段２６３により認識された前席に出力しない設定に基づいて、設定情報６００を生成する。そして、再生出力制御手段２６５は、入力信号認識手段２６２により認識された取得要求信号に基づいて、第２再生装置３１０に所定のコンテンツデータを取得させ、取得したコンテンツデータをセレクタ２３０に送信させる。さらに、出力切換制御手段２６６は、設定情報生成手段２６４により生成された設定情報６００に基づいてセレクタ２３０の出力回路を切り換えさせ、所定のコンテンツデータを第２出力部５００のみに適宜再生出力させる。
【０１１０】
ここで、上記した再生処理について具体的な一例を挙げて説明する。例えば、前席側の運転者が車両を移動させている時にＤＶＤを第１ディスク処理部２１１にスロットインしたとする。このとき、例えば前席スロットイン設定情報７１０における第１前後席出力フラグ情報７１２のフラグが「１」に設定されていた場合、制御部２６０は、車両が移動中であっても前席に出力可能な設定でセレクタ２３０の出力回路を調整する。すなわち、制御部２６０は、前席スロットイン設定情報７１０に基づいて設定情報６００における第１前後席出力フラグ情報６１２のフラグを「１」に設定する、つまり上記表１に示す設定５ないし設定８のいずれかの状態となるようセレクタ２３０の出力回路を調整する。そして、第１出力部４００および第２出力部５００の少なくともいずれか一方に第１ディスク処理部２１１で取得したＤＶＤを適宜再生出力させる。
【０１１１】
また、例えば、車両が移動している際に、後席側の利用者がＤＶＤを第２ディスク処理部３１１にスロットインしたとする。このとき、例えば後席スロットイン設定情報７２０における第２前後席出力フラグ情報７２２のフラグが「１」に設定されていた場合、制御部２６０は、前席に出力しない設定でセレクタ２３０の出力回路を調整する。すなわち、制御部３６０は、第１前席出力フラグ情報６１１および第１前後席出力フラグ情報６１２のフラグを「０」に適宜設定する、つまり上記表１に示す設定１０または設定１２の状態となるようセレクタ２３０の出力回路を調整する。そして、第２出力部５００のみに第２ディスク処理部３１１で取得したＤＶＤを適宜再生出力させる。
【０１１２】
そして、例えば、車両が移動していない際に、後席側の利用者がＤＶＤを第２ディスク処理部３１１にスロットインしたとする。このとき、例えば後席スロットイン設定情報７２０における第２前後席出力フラグ情報７２２のフラグが「１」に設定されていた場合、制御部２６０は、後席からのＤＶＤのスロットインでも、前席に出力可能な設定でセレクタ２３０の出力回路を調整する。すなわち、制御部２６０は、第１前席出力フラグ情報６１１および第１前後席出力フラグ情報６１２のフラグを「０」に適宜設定する、つまり表１に示す設定９ないし設定１２のいずれかの状態となるようセレクタ２３０の出力回路を調整する。そして、第１出力部４００および第２出力部５００の少なくともいずれか一方に第２ディスク処理部３１１で取得したＤＶＤを適宜再生出力する。
【０１１３】
この他、例えば、車両が移動している際に、後席側の利用者がＣＤを第２ディスク処理部３１１にスロットインしたとする。このとき、例えば後席スロットイン設定情報７２０における第２前後席出力フラグ情報７２２のフラグが「１」に設定されていた場合、制御部２６０は、後席からのＣＤのスロットインでも、前席に出力可能な設定でセレクタ２３０の出力回路を調整する。すなわち、制御部２６０は、第１前席出力フラグ情報６１１および第１前後席出力フラグ情報６１２のフラグを「０」に適宜設定する、つまり表１に示す設定９ないし設定１２のいずれかの状態となるようセレクタ２３０の出力回路を調整する。そして、第１出力部４００および第２出力部５００の少なくともいずれか一方に第２ディスク処理部３１１で取得したＣＤを適宜再生出力する。
【０１１４】
また、例えば、現在、車両が移動停止し、セレクタ２３０の出力回路が上記表１の設定９に設定されている状態、すなわち、第２ディスク処理部３１１にて取得されたコンテンツデータが第１出力部４００および第２出力部５００の双方に再生出力可能な状態に調整されているとする。また、この状態において、第２ディスク処理部３１１にてＤＶＤが取得され、第１出力部４００および第２出力部５００の双方にてＤＶＤが再生出力されているとする。ここで、車両が移動することにより、移動状況認識手段２６１にて車両が移動している移動状況または直ちに移動できる移動状況であると認識されると、制御部２６０は、前席に出力しない設定となるようセレクタ２３０の出力回路を調整する。すなわち、前席非出力フラグ情報６１３のフラグを「１」に設定する、つまり上記表１の設定１０の状態となるようセレクタ２３０の出力回路を調整する。そして、第１出力部４００でのＤＶＤの再生出力を停止させ、第２出力部５００のみに第２ディスク処理部３１１で取得したＤＶＤを再生出力させる。
【０１１５】
そして、この後、車両が移動を停止し、移動状況認識手段２６１にて車両が直ちに移動できない状況であると認識されると、制御部２６０は、前席に出力可能な設定となるようセレクタ２３０の出力回路を調整する。すなわち、前席非出力フラグ情報６１３のフラグを「０」に設定する、つまり上記表１の設定９の状態となるようセレクタ２３０の出力回路を調整する。そして、第１出力部４００および第２出力部５００の双方に第２ディスク処理部３１１で取得したＤＶＤを再生出力させる。
【０１１６】
（動画再生時出力変更処理）
次に、コンテンツデータ再生システム１００の動作として、動画再生時出力変更処理、すなわち、コンテンツデータ再生システム１００において動画データが現在再生出力されている際において出力回路を変更する処理について図８に基づいて説明する。図８は、動画再生時出力変更処理を示すフローチャートである。
【０１１７】
現在、コンテンツデータ再生システム１００にて動画データが再生処理されている際、利用者が、第１入力操作部２２０あるいは第２入力操作部３２０のいずれかの操作入力により、再生出力している出力部の変更を要求する。そして、入力信号認識手段２６２が出力要求信号を受信すると、移動状況認識手段２６１は、移動中であるか否か、すなわち現在車両が移動している移動状況または前記車両が直ちに移動できる移動状況であるか否かを認識する（ステップＳ２０１）。ここで、移動状況認識手段２６１により移動中でないと認識された場合、出力設定認識手段２６３は、入力信号認識手段２６２にて認識された出力要求信号に基づいて前席に出力可能な設定を認識する（ステップＳ２０２）。すなわち、出力設定認識手段２６３は、入力信号認識手段２６２により認識された第１入力操作部２２０または第２入力操作部３２０からの出力要求信号に基づいて、前席に出力可能なセレクタ２３０の出力回路の設定を認識する。
【０１１８】
そして、設定情報生成手段２６４は、出力設定認識手段２６３により認識された前席に出力可能な設定に基づいて、設定情報６００を適宜生成する。さらに、出力切換制御手段２６６は、設定情報生成手段２６４により認識された設定情報６００に基づいて、セレクタ２３０の出力回路を切り換える（ステップＳ２０３）。そして、再生出力制御手段２６５の制御により現在所定の再生装置で取得中のコンテンツデータを所定の出力部に再生出力させる。
【０１１９】
一方、ステップＳ２０１において、移動状況認識手段２６１により移動中であると認識された場合、入力信号認識手段２６２は、前席からの要求か否か、すなわち第１入力操作部２２０からの出力要求信号であるか否かを認識する（ステップＳ２０４）。そして、入力信号認識手段２６２により前席からの出力要求信号であると認識された場合、出力設定認識手段２６３は、入力信号認識手段２６２にて認識された出力要求信号に基づいて前席に出力可能な設定を認識する（ステップＳ２０５）。すなわち、出力設定認識手段２６３は、入力信号認識手段２６２により認識された第１入力操作部２２０からの出力要求信号に基づいて、前席に出力可能なセレクタ２３０の出力回路の設定を認識する。
【０１２０】
そして、設定情報生成手段２６４は、出力設定認識手段２６３により認識された前席に出力可能な設定に基づいて、設定情報６００を適宜生成する。また、出力切換制御手段２６６は、設定情報生成手段２６４により認識された生成された設定情報６００に基づいて、セレクタ２３０の出力回路を切り換える（ステップＳ２０６）。そして、再生出力制御手段２６５の制御により現在所定の再生装置で取得中のコンテンツデータを所定の出力部に再生出力させる。
【０１２１】
一方、ステップＳ２０４において、入力信号認識手段２６２により前席からの要求でない、すなわち第２入力操作部３２０からの出力要求信号であると認識された場合、出力設定認識手段２６３は、前席に出力しない設定を認識する（ステップＳ２０７）。すなわち、出力設定認識手段２６３は、入力信号認識手段２６２により認識された第２入力操作部３２０からの出力要求信号に基づいて、要求されたセレクタ２３０の出力回路の設定を認識する。そして、要求されたセレクタ２３０の出力回路の設定で第１出力部４００を出力対象に含まない出力回路の設定を認識する。
【０１２２】
そして、設定情報生成手段２６４は、出力設定認識手段２６３により認識された前席に出力しない設定に基づいて、設定情報６００を適宜生成する。さらに、出力切換制御手段２６６は、設定情報生成手段２６４により生成された設定情報６００に基づいて、セレクタ２３０の出力回路を切り換える（ステップＳ２０８）。そして、再生出力制御手段２６５の制御により現在所定の再生装置で取得中のコンテンツデータを第２出力部５００のみに適宜再生出力させる。
【０１２３】
ここで、上記した再生時出力変更処理について具体的な一例を挙げて説明する。例えば、現在車両が移動している際に、設定情報６００が表１の設定１に示すように設定された状態で、前席側でラジオを再生出力し、後席側でＤＶＤを再生出力していたとする。このとき、前席の利用者が第１入力操作部２２０からの操作により後席側で再生出力しているＤＶＤを前席側にも出力する要求をした場合、制御部２６０は、表１の設定９となるようにセレクタ２３０の出力回路を切り換え、第１チューナ部２１２でラジオのコンテンツデータを取得することを停止し、第２ディスク処理部３１１で再生しているＤＶＤを前席および後席に再生出力する。
【０１２４】
また、例えば、現在車両が移動している際に、設定情報６００が表１の設定１に示すように設定された状態で、前席側でラジオを再生出力し、後席側でＤＶＤを再生出力していたとする。このとき、後席の利用者が第２入力操作部３２０からの操作により後席側で再生出力しているＤＶＤを前席側にも出力する要求をした場合、制御部２６０は、出力回路の切り換えを拒絶し、そのままの設定で再生出力を実施する。
【０１２５】
この他、例えば、現在車両が移動していない際に、設定情報６００が表１の設定１に示すように設定された状態で、前席側でラジオを再生出力し、後席側でＤＶＤを再生出力していたとする。このとき、後席の利用者が第２入力操作部３２０からの操作により後席側で再生出力しているＤＶＤを前席側にも出力する要求をした場合、制御部２６０は、表１の設定９となるようにセレクタ２３０の出力回路を切り換え、第１チューナ部２１２でラジオのコンテンツデータを取得することを停止し、第２ディスク処理部３１１で再生しているＤＶＤを前席および後席に適宜再生出力する。
【０１２６】
〔コンテンツデータ再生システムの作用効果〕
上述したように、上記実施の形態では、コンテンツデータ再生システム１００は、第１ディスク処理部２１１と、第１チューナ部２１２と、第２ディスク処理部３１１と、第２チューナ部３１２と、のいずれかで取得したコンテンツデータを、車両に搭載された第１出力部４００および第２出力部５００で再生出力させる制御をする制御部２６０を具備している。この制御部２６０は、入力操作に応じて出力され第１出力部４００および第２出力部５００のうち所定の出力部で再生出力させる要求に関する出力要求信号を認識する入力信号認識手段２６２と、認識した出力要求信号に基づいて、第１出力部４００および第２出力部５００の少なくともいずれか一方で再生出力させる状態を制御する出力切換制御手段２６６と、を備えている。このため、車両内に搭乗した利用者の入力操作により、所定のコンテンツデータを所望の出力部で出力するよう任意に設定することができる。すなわち、例えば、前席側の利用者が後席でのみ視聴されているＤＶＤコンテンツを視聴したいときに、第１入力操作部２２０で前側にも再生出力する旨の入力操作をすることにより、前席側および後席側の双方でＤＶＤを再生出力することができる。したがって、コンテンツデータ再生システム１００は、好適にコンテンツデータを再生出力することができる。
【０１２７】
そして、コンテンツデータ再生システム１００において、第１再生装置２１０は第１ディスク処理部２１１と、第１チューナ部２１２と、を備えている。また、第２再生装置３１０は、第２ディスク処理部３１１と、第２チューナ部３１２と、を備えている。このため、第１再生装置２１０で取得したコンテンツデータを第１出力部４００で再生出力させ、これと同時に第２再生装置３１０で取得させたコンテンツデータを第２出力部５００に再生出力させることができる。したがって、車両内に搭乗した複数の利用者が所定の再生装置で所望のコンテンツデータを再生させ、それぞれ異なるコンテンツデータを同時に視聴できる。すなわち、例えば前席側と後席側とでそれぞれ異なるＴＶ放送コンテンツを視聴している際、後席側で視聴しているＴＶ放送コンテンツが前側の利用者の嗜好に合致する内容である場合に前側にも再生出力させるよう出力を切り換えるなど、多彩なコンテンツデータの再生が実現できる。
【０１２８】
また、移動状況認識手段２６１は、車両の移動状況を認識する。そして、入力信号認識手段２６２は、第１再生装置２１０および第２再生装置３１０で取得したコンテンツデータの種類を認識し、出力要求信号を認識する。また、出力切換制御手段２６６は、入力信号認識手段２６２にて認識されたコンテンツデータの種類および出力要求信号と、移動状況認識手段２６１にて認識された移動状況に基づいて、第１出力部４００および第２出力部５００で再生出力させる状態を制御する。このため、例えば、移動中は運転者が搭乗する前席側への動画コンテンツを再生出力を制限する制御や、移動停止中は前席側にも動画コンテンツを再生出力させるなどの制御が実施できる。したがって、コンテンツデータの種類および移動状況に応じて臨機応変に対応した最適な再生出力を実現するコンテンツデータ再生システム１００を提供できる。
【０１２９】
そして、制御部２６０による第１出力部４００および第２出力部５００で再生出力させる状態の制御として、例えば、現在動画データが再生出力されていて、移動状況認識手段２６１にて車両が移動している移動状況または直ちに移動できる移動状況であると認識されると、出力設定認識手段２６３が前席に出力しない設定を認識し、設定情報生成手段２６４は、設定情報６００の前席非出力フラグ情報６１３のフラグを「１」に変更する。そして、出力切換制御手段２６６は、設定情報生成手段２６４により生成された設定情報６００に基づいてセレクタ２３０の出力回路を切り換えさせ、第２ディスク処理部３１１にて取得された動画データを第２出力部５００のみで再生出力させる。そして、この後、移動状況認識手段２６１にて車両が直ちに移動できない状況であると認識されると、出力設定認識手段２６３が前席に出力可能な設定を認識し、設定情報生成手段２６４は、設定情報６００の前席非出力フラグ情報６１３のフラグを「０」に変更する。そして、出力切換制御手段２６６は、設定情報生成手段２６４により生成された設定情報６００に基づいてセレクタ２３０の出力回路を切り換えさせ、第２ディスク処理部３１１にて取得された動画データを第１出力部４００および第２出力部５００の双方で再生出力させる。
【０１３０】
このため、複数の出力部のうち運転者が搭乗する前席側の第１出力部４００での再生出力を車両の移動状況に応じて制限しつつ、第２出力部５００ではコンテンツデータの再生出力が可能となる。また、移動状況認識手段２６１が車両の移動状況を認識することにより、再生出力制御手段２６５は第１出力部４００での再生出力状態を適宜制御するので、利用者が自分で入力操作せずとも車両の移動状況に合わせて自動的に出力を切り換える制御が実現できる。したがって、利用者の利便性を向上できる。
【０１３１】
そして、入力信号認識手段２６２は、入力操作に応じて出力され第１再生装置２１０または第２再生装置３１０に所定のコンテンツデータを取得させる要求に関する取得要求信号を認識する。また、出力設定認識手段２６３は、例えば、現在第２再生装置３１０にて所定のコンテンツデータが取得されており、かつ移動状況認識手段２６１により移動中であると認識された場合、入力信号認識手段２６２により第２入力操作部３２０からの出力要求信号が認識されると、前席に出力しない設定を認識する。このため、車両の移動中に前席側の運転手以外の搭乗者からの操作により、前席側に動画コンテンツなどを再生出力させることを防ぐことができ、前席側の運転手の良好な運転を確保できる。したがって、コンテンツデータ再生システム１００は、前席側の運転手の立場に立った好適なコンテンツデータの再生出力を実現できる。
【０１３２】
第１ディスク処理部２１１または第２ディスク処理部３１１は、コンテンツデータを記録したディスク状記録媒体がスロットインされたことを検出するとこのコンテンツデータの取得を要求する取得要求信号および出力要求信号を生成する第１スロットイン検出手段または第２スロットイン検出手段を備えている。そして、設定情報生成手段２６４は、利用者の設定入力によりスロットイン設定情報７００を生成する。出力切換制御手段２６６は、スロットイン設定情報７００に基づいて、スロットインされたディスクのコンテンツデータを所定の出力部に再生出力させる。このため、利用者が第１ディスク処理部２１１または第２ディスク処理部３１１にスロットインした際に再生出力する出力部を予め設定できるので、例えば、前席側の利用者が第１ディスク処理部２１１にスロットインしたのにもかかわらず後席側第２出力部５００からしかＤＶＤが再生出力されない、などの不具合が解消される。また、前席スロットイン設定情報７１０と後席スロットイン設定情報７２０をそれぞれ設けているので、前席側からスロットインした場合と後席側からスロットインした場合とでそれぞれ異なる再生出力を実現できる。
【０１３３】
入力信号認識手段２６２は、出力要求信号を認識するとともに、その出力要求信号が前席の利用者からの要求か否か、すなわち第１入力操作部２２０または第１ディスク処理部２１１からの要求であるか否かを認識する。そして、例えば、移動中に動画データの再生が要求された際、入力信号認識手段２６２により前席からの要求であると認識された場合、出力設定認識手段２６３は、入力信号認識手段２６２にて認識された出力要求信号に基づいて前席に出力可能な設定を認識する。また、入力信号認識手段２６２により前席からの要求でない、すなわち第２入力操作部３２０または第２ディスク処理部３１１からの要求であると認識された場合、出力設定認識手段２６３は、前席に出力しない設定を認識する。このため、例えば、前席側からの入力操作では前後双方の出力部で再生出力をし、後席側の入力操作では後席側の出力部でのみ再生出力させる制御ができる。したがって、再生出力を要求する利用者の位置に応じて再生出力する出力部を適宜設定できる。
【０１３４】
制御部２６０は、例えば、移動状況認識手段２６１により移動中であると認識されかつ入力信号認識手段２６２により例えば第２ディスク処理部３１１にＤＶＤがスロットインされたと認識された場合、前席にはＤＶＤを再生出力させない制御をする。このため、後席スロットイン設定情報７２０において第２前後席出力フラグ情報７２２のフラグが「１」に設定された状況、すなわち、第２ディスク処理部３１１にＤＶＤをスロットインすると前席側にも再生出力されてしまう状況でも、例えば運転者の予期しないときに前席側でＤＶＤが再生出力されてしまう事態を防ぐことができる。
【０１３５】
制御部２６０は、第１再生装置２１０および第１出力部４００と、第２再生装置３１０および第２出力部５００と、それぞれ再生装置と出力部とを複数対設けられたコンテンツデータ再生システム１００を制御する。そして、入力操作に応じて出力され複数の出力部のうち所定の出力部で再生出力させる要求に関する出力要求信号を認識する出力要求認識手段としての入力信号認識手段２６２を具備している。そして、例えば、車両が移動している際は動画コンテンツを含むコンテンツデータは前側に再生出力しない制御をしている場合においても、第１入力操作部２２０からの操作により第１出力部４００に出力させる要求についての出力要求信号が送信された場合は、第１出力部４００に出力させる制御をする出力切換制御手段２６６を具備している。このため、例えば、前側の搭乗者が後席側で視聴しているＴＶ放送を前側でも視聴したいような場合に、車両が移動している際は動画コンテンツを含むコンテンツデータは前側に再生出力しないとした制御を解除して、前側に再生出力させることができる。したがって、前席側の利用者の意思によって再生出力を変更し得る柔軟な再生出力が実現できる。
【０１３６】
入力信号認識手段２６２は、出力要求信号が前席側の利用者による入力操作か後席側の利用者による入力操作かを認識する。そして、再生出力制御手段２６５は、例えば、車両が移動している際は動画コンテンツを含むコンテンツデータは前側に再生出力しない制限的な制御をしている場合においても、前席側の利用者からの操作により第１出力部４００に再生出力させる場合は制限を解除して第１出力部４００に再生出力させる。一方、後席側の利用者からの操作により第１出力部４００に出力させる場合は制限を解除せず第１出力部４００に再生出力させない制御をする。このため、前席側の利用者の意思に反して後席側に再生出力状態を変更されることを防ぐことができる。したがって、前席側の利用者の立場に立った好適な再生出力状態を制御することができる。
【０１３７】
入力信号認識手段２６２は、第１入力操作部２２０または第２入力操作部３２０からの出力要求信号を認識し、第１入力操作部２２０からの入力操作であれば前席側の利用者からの出力要求であると認識し、第２入力操作部３２０からの入力操作であれば後席側からの出力要求であると認識する。また、入力信号認識手段２６２は、第１ディスク処理部２１１または第２ディスク処理部３１１からのスロットインによる出力要求信号を認識し、第１ディスク処理部２１１へのスロットインであれば前席側の利用者からの出力要求であると認識し、第２ディスク処理部３１１へのスロットインであれば後席側からの出力要求であると認識する。このため、入力操作する利用者の位置を第１入力操作部２２０、第２入力操作部３２０または第１ディスク処理部２１１、第２ディスク処理部３１１の位置により把握し、入力操作する利用者毎に最適な再生出力状態を設定できる。
【０１３８】
コンテンツデータ再生システム１００は、第１ディスク処理部２１１と、第１チューナ部２１２と、第２ディスク処理部３１１と、第２チューナ部３１２と、第１出力部４００と、第２出力部５００と、制御部２６０と、などを備えている。制御部２６０は、コンテンツデータ再生システム１００を制御しコンテンツデータの再生出力状態を設定する。また、制御部２６０は、前席側の利用者が入力操作可能な第１入力操作部２２０および第１ディスク処理部２１１からの出力要求信号と、後席側の利用者が入力操作可能な第２入力操作部３２０および第２ディスク処理部３１１からの出力要求信号と、を認識する。そして、例えば、車両が移動している際は動画コンテンツを含むコンテンツデータは前側に再生出力しない制限的な制御をしている場合において、第１ディスク処理部２１１および第２ディスク処理部３１１のいずれにスロットインしても第１出力部４００および第２出力部５００の双方に再生出力されるスロットイン設定がされているとする。この場合、前席側の第１ディスク処理部２１１にスロットインした際は制限を解除し、第１出力部４００および第２出力部５００の双方に再生出力させる。一方、後席側の第２ディスク処理部３１１にスロットインした際は制限を解除せず、第２出力部５００のみに再生出力させる制御をする。このため、前席側の利用者による入力操作の場合は利用者の意向を反映した再生出力状態に制御し、後席側の利用者による入力操作の場合は前席側の運転者の支障とならないよう後席側でのみ再生出力をさせる制御を実現できる。したがって、入力操作する利用者毎に最適な再生出力状態を設定でき、かつ前席側の運転者の良好な運転を確保できる。
【０１３９】
また、設定情報生成手段２６４は、スロットイン設定情報７００の設定において、例えば、第１ディスク処理部２１１にスロットインした際は第１出力部４００および第２出力部５００の双方に再生出力させるスロットイン設定を設定するための出力要求信号に基づいて、第１前後席出力フラグ情報７１２のフラグを「１」に設定する。また、第２ディスク処理部３１１にスロットインした際は第２出力部５００のみに再生出力させるスロットイン設定を設定するための出力要求信号に基づいて、第２後席出力フラグ情報７２１のフラグを「１」に設定する。このため、第１ディスク処理部２１１にスロットインした場合は第１出力部４００および第２出力部５００の双方に再生出力させ、第２ディスク処理部３１１にスロットインした場合は第２出力部５００のみに再生出力させる制御ができる。したがって、前席側の利用者による入力操作の場合は利用者の意向を反映した再生出力状態に制御し、後席側の利用者による入力操作の場合は前席側の運転者の支障とならないよう後席側でのみ再生出力をさせる制御を実現できる。
【０１４０】
制御部２６０は、車両の移動状況を認識する移動状況認識手段２６１を備えている。そして、例えば、移動状況認識手段２６１にて車両が直ちに移動できない状況であると認識されると、出力設定認識手段２６３が前席に出力可能な設定を認識し、設定情報生成手段２６４は、設定情報６００の前席非出力フラグ情報６１３のフラグを「０」に変更する。すなわち、第１出力部４００での再生出力の制限を解除する。このため、第１出力部４００での再生出力が制限されていても、移動状況に応じて、例えば、第２ディスク処理部３１１にて取得された動画データを、第１出力部４００および第２出力部５００の双方で再生出力させる制御ができる。したがって、運転手が搭乗する前席側での再生出力を車両の移動状況に応じて制限しつつ、車両が移動を停止している状況では前席側の第１出力部４００で再生出力させる制御ができる。つまり、車両の移動状況に応じて運転手にとって好適な機会にコンテンツデータを再生出力させることができる。
【０１４１】
制御部２６０は、動画データを含むコンテンツデータを再生出力する際に、動画データを表示する表示部での再生出力を制御する。このため、例えば、前席側の運転者が運転中に第１表示部４２０に表示された動画データにより、運転に集中できなくなる、などの問題を解決できる。
【０１４２】
制御部２６０は、第１表示部４２０および第２表示部５２０に表示され、第１再生装置２１０および第２再生装置３１０と、第１出力部４００および第２出力部５００の配置を示す表示を備えた設定メニュー９００を生成する設定画面生成手段２６７を具備している。そして、第１表示部４２０および第２表示部５２０をタッチパネル式とした場合、設定メニュー９００において所定の再生装置の配置を示す表示を利用者により触れられることにより取得要求信号が生成され、設定メニュー９００において所定の前記出力部の配置を示す表示を利用者により触れられることにより出力要求信号が生成される。このような構成の場合、所定の再生装置から所定の出力部に再生出力させる際に、利用者は設定メニュー９００にて所望の再生装置、ソース、および出力部を触ることにより、所望の再生出力を設定できる。すなわち、簡易な構成で所望の再生出力設定を実施できる。
【０１４３】
設定情報６００において、第１再生装置２１０および第２再生装置で取得したコンテンツデータを第１出力部４００から出力させないための前席非出力フラグ情報６１３と、第１再生装置２１０および第２再生装置で取得したコンテンツデータを第２出力部４００から出力させないための後席非出力フラグ情報６２３が設けられている。このため、例えば、前席側の利用者が第１出力部４００からコンテンツデータを再生出力させたくないような場合、第１入力操作部２２０からの入力操作により前席非出力フラグ情報６１３におけるフラグを「１」に設定しておく。そして、仮に後席スロットイン設定情報７２０における第２前後席出力フラグ情報７２２のフラグが「１」に設定され、後席側の利用者が第２ディスク処理部３１１にスロットインした場合においても後席側でしか再生出力されず、第１出力部４００から再生出力されることを未然に防ぐことができる。したがって、利用者の要求に応じて好適な再生出力を実現でき、かつ、利用者の利便性を向上できる。
【０１４４】
そして、制御部２６０を例えばＣＰＵ（Central Processing Unit）などを用いてプログラムとして構成しているので、プログラムをインストールすることで、コンテンツデータを好適に再生出力させる制御をできる構成が容易に得られ、利用の拡大が容易に図れる。さらには、そのプログラムを記録媒体に記録し、制御部２６０、すなわちコンピュータに読み取らせる構成とすることで、コンテンツデータを好適に再生出力させる制御をできる構成が得られるとともに、プログラムを容易に取り扱いでき、利用の拡大が容易にできる。なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【０１４５】
〔実施の形態の変形〕
なお、本発明は上述した実施の形態に限定されるものではなく、本発明の目的を達成できる範囲で以下に示される変形をも含むものである。
【０１４６】
すなわち、上述したように、本実施の形態では、再生出力装置としてのコンテンツデータ再生システムは、移動体としての車両であって、移動方向において搭乗席が前側と後側に複数配置された車両に搭載され、前席側および後席側のそれぞれに複数のコンテンツデータ取得部と複数の出力部とが設けられた構成を例示して説明するが、これに限らない。すなわち、車両において少なくとも１つのコンテンツデータ取得部と複数の出力部とが設けられる構成であればいずれの配置構成としてもよい。また、本発明のコンテンツデータ再生システムは、搭乗席が前席側および後席側に複数配置された車両において設けられる構成を例示して説明するが、これに限らず、ワゴン車やバス、あるいは飛行機や船舶などの多数の搭乗席が設けられたいずれの移動体に設置される構成にも適用できる。
【０１４７】
また、コンテンツデータ再生システム１００において、車両室内の前席側および後席側にそれぞれ第１ヘッドユニット２００および第２ヘッドユニット３００が設けられる構成としたが、これに限らず、ヘッドユニットは車両室内の前席側に１つ、後席側に２つ設けられる構成など、ヘッドユニットの個数は任意である。また、第１ヘッドユニット２００および第２ヘッドユニット３００のいずれか一方だけが設けられる構成としてもよい。
【０１４８】
また、第１再生装置２１０は第１ディスク処理部２１１と第１チューナ部２１２とを備え、また第２再生装置３１０は第２ディスク処理部３１１と第２チューナ部３１２とを備え、それぞれＤＶＤ、ＣＤ、ラジオ、テレビなどのコンテンツデータの再生が可能な構成としたが、これに限らず、さらに、ＭＤ（Mini Disk）、衛生放送、ＭＰ３、などのいずれのコンテンツデータを再生可能な構成とすることができる。また、コンテンツデータ取得部の取得する複数のコンテンツデータの組み合わせは、例えばＤＶＤ、ＣＤ、ラジオなど、任意である。さらに、第１再生装置２１０は第１ディスク処理部２１１と第１チューナ部２１２とを備え、また第２再生装置３１０は第２ディスク処理部３１１のみを備える構成としてもよい。また、これらコンテンツデータを取得する手段は１つでもよい。
【０１４９】
第１音声出力部４１０は、例えば前席側の左右両側に配設されたスピーカなどの発音手段を備えている。そして、第２音声出力部５１０は、例えば後述する第２ヘッドユニット３００の正面に臨む位置に設けられ、例えばヘッドホンなどの発音手段と各種信号が送受信可能な状態に接続される図示しないジャックを備えているとしたが、これに限らない。すなわち、第１音声出力部４１０のスピーカなどの発音手段は、例えば前席側のダッシュボードの下側、後席側の左右もしくは後席側などにも設けられる構成としてもよい。また、第２音声出力部５１０のジャックは、第２ヘッドユニット３００に複数設けられてもよく、またジャックの位置も第２表示部５２０や第1ヘッドユニット２００に設けられてもよい。さらに、第１音声出力部４１０の発音手段および第２音声出力部５１０の発音手段がそれぞれスピーカである構成でもよく、この場合はそれぞれの発音手段からの発音が互いに干渉しないように適宜工夫された構成とする。
【０１５０】
第１表示部４２０は、例えば前席側におけるフロント側の中央部に設けられ、前席に搭乗した利用者に視認可能な状態に設置される。第２表示部５２０は、例えば後席側における天井の略中央に設けられ、後席に搭乗した利用者に視認可能な状態に設置されるとしたが、これに限らない。すなわち、第１表示部４２０は、前席に搭乗した利用者に視認可能な状態に設置されればよく、例えば前席側における助手席側に臨む位置に設けられてもよい。また、第２表示部５２０は、後席に搭乗した利用者に視認可能な状態に設置されればよく、例えば前席の運転席と助手席の間において後席側に臨む位置や前席の運転席と助手席の背面側で後席側に臨む位置に設けられてもよい。そして、第１表示部４２０または第２表示部５２０は、それぞれ複数設けられる構成としてもよい。
【０１５１】
第１再生装置２１０および第２再生装置３１０は、それぞれの再生装置で同時に複数のコンテンツデータを取得しない構成としたがこれに限らず、それぞれの再生装置で同時に複数のコンテンツデータを取得する構成としてもよい。例えば、第１再生装置２１０における第１ディスク処理部２１１と第１チューナ部２１２とでそれぞれ同時にコンテンツデータを取得し、一方を第１出力部４００で出力させ、他方を第２出力部５００で出力させる構成などとしてもよい。また、このような構成の場合、設定情報６００で設定されるフラグ情報の数も増え、上記した表１に示す設定情報６００におけるフラグの組み合わせも増える。すなわち、設定情報６００におけるフラグの組み合わせは、上記した表１に示す設定情報６００におけるフラグの組み合わせに限らない。
【０１５２】
また、本実施の形態では、コンテンツデータ再生システム１００の電源を起動した際の再生出力について言及していないが、例えばメモリ２５０が前回に再生出力を停止した際の再生出力状態を記憶し、コンテンツデータ再生システム１００の電源を起動すると前回の再生出力状態を再現して再生出力する構成としてもよい。また、コンテンツデータ再生システム１００の電源は、第１ディスク処理部２１１または第２ディスク処理部３１１にスロットインした際にも起動する構成としてもよく、この場合、スロットイン設定情報７００に基づいてスロットインしたディスク状記録媒体に記録されたコンテンツデータを所定の出力部に再生出力する構成とすることができる。
【０１５３】
制御部２６０は、例えば第１再生装置２１０および第２再生装置３１０が接続される再生ポート、第１入力操作部２２０および第２入力操作部３２０が接続される操作ポート、セレクタ２３０が接続される切換ポート、メモリ２５０が接続されるメモリポート、などを有している構成としたが、これに限らない。すなわち、例えば、制御部２６０にさらに外部設置型の再生装置が種々の信号が送受信可能な状態に接続される外部機器用接続ポートを設け、例えば、コンテンツデータ再生システム１００に外部設置型ＤＶＤ再生装置、外部設置型ＨＤＤ再生装置、あるいはＣＤチェンジャーを組み込む構成などとしてもよい。
【０１５４】
スロットイン設定情報７００は、第１ディスク処理部２１１または第２ディスク処理部３１１にスロットインした際、第１出力部４００のみで出力、第２出力部５００のみで出力、第１出力部４００および第２出力部５００の双方で出力、あるいはスロットインしても再生しないなどとした上記実施の形態に示した構成に限らない。すなわち、例えば、第１出力部４００のうち第１音声出力部４１０のみで出力させる設定など、出力部でもさらに音声出力部や表示部毎にスロットイン設定情報を設ける構成などとしてもよい。また、例えば第１音声出力部４１０のうち右側のスピーカのみで出力するなど音声出力部でもさらに詳細にスロットイン設定情報を設ける構成などとしてもよい。そして、スロットイン設定情報７００は、ディスク状記録媒体でもＤＶＤについてのスロットイン設定情報や、ＣＤについてのスロットイン設定情報など、取得するコンテンツデータの種類に応じてスロットイン設定情報を設ける構成などとしてもよい。また、再生処理装置がＭＤを備えた構成においては、ＭＤについてのスロットイン設定情報を設ける構成としてもよい。
【０１５５】
前席スロットイン設定情報７１０は第１入力操作部２２０からの入力操作により変更可能であり、後席スロットイン設定情報７２０は第２入力操作部３２０からの入力操作により変更可能であるとしたが、このような構成に限らない。すなわち、例えば、第１入力操作部２２０あるいは第２入力操作部３２０のいずれからの入力操作でも前席スロットイン設定情報７１０および後席スロットイン設定情報７２０を変更し得る構成などとしてもよい。また、スロットイン設定情報７００は入力操作により予め設定しておく構成としたが、これに限らず、第１ディスク処理部２１１および第２ディスク処理部３１１にスロットインする毎に設定する構成としてもよい。
【０１５６】
図５において、スロットイン設定メニュー８００は、第１入力操作部２２０からの入力操作の場合と第２入力操作部３２０からの入力操作の場合とで同様に表示される構成としたが、これに限らず、第１入力操作部２２０からの入力操作の場合についての前側スロットイン設定メニューと、第２入力操作部３２０からの入力操作の場合についての後側スロットイン設定メニューとをそれぞれ別に設ける構成としてもよい。また、ディスク状記録媒体でもＤＶＤについてのスロットイン設定メニューや、ＣＤについてのスロットイン設定メニューなど、取得するコンテンツデータの種類に応じてスロットイン設定メニューを設ける構成などとしてもよい。
【０１５７】
図６において、設定メニュー９００の配置表示領域９１０には、車両内における第１再生装置２１０と、第２再生装置３１０と、第１出力部４００と、第２出力部５００と、のそれぞれの概略的な配置が示される構成としたが、これに限らない。すなわち、例えば配置表示領域９１０は、車両内における第１再生装置２１０と、第２再生装置３１０と、第１出力部４００と、第２出力部５００と、の配置を斜視図や立体図などとして表示する構成としてもよく、再生装置および出力部の配置が視覚的に捉えられ、かつ複数のソースが表示される構成であればいずれでも構わない。また、図６において、前席再生ソース情報表示領域９２０と、後席再生ソース情報表示領域９３０と、ＯＫボタン表示領域９４０と、キャンセルボタン表示領域９５０と、は必ずしも必要ではなく、省略したとしても構わない。さらに、設定メニュー９００には配置表示領域９１０に併せて再生中のコンテンツデータを出力表示する領域を設ける構成などとしても構わない。
【０１５８】
なお、本実施の形態では、制御部２６０は、取得要求したコンテンツデータの種類と、車両の移動状況と、出力要求信号の発信元と、を適宜認識し、これらの条件に基づいて出力状態を適宜制限する構成としたが、これに限らない。すなわち、制御部２６０は、取得要求したコンテンツデータの種類と、車両の移動状況と、出力要求信号の発信元のそれぞれの条件に関係なく、利用者からの入力操作により所定のコンテンツデータを所望の出力装置に再生出力させるなどの構成としてもよい。
【０１５９】
また、コンテンツデータ再生システム１００における再生出力処理についても、図７に示した再生出力処理に限らない。すなわち、現在、所定の出力部で所定のコンテンツデータが再生出力されている際に入力信号認識手段２６２にて新たな取得要求信号が認識された場合、出力設定認識手段２６３は新たな取得要求信号で要求された出力回路の設定を認識し、現在の出力回路の設定を認識する。また、新たな再生要求信号に基づく要求された出力回路の設定に基づいて再生出力したとすると、所定の出力部にて現在再生出力中のコンテンツデータが異なるコンテンツデータに置換されるか否かを認識する。そして、出力切換制御手段２６６は、出力設定認識手段２６３にて前記置換されないと認識された場合、出力設定認識手段２６３にて認識された新たな再生要求信号に基づく要求された出力回路の設定に基づいてセレクタ２３０の出力回路を切り換えさせる。一方、出力設定認識手段２６３にて前記置換されると認識された場合に、設定画面生成手段２６７は、出力設定認識手段２６３にて認識された新たな再生要求信号に基づく要求された出力回路の設定および現在の出力回路の設定のうちいずれかを選択するよう促す画面を生成する。そして、出力切換制御手段２６６は、選択された出力回路の設定に基づいてセレクタ２３０の出力回路を切り換えさせる、などの構成を図７に示した再生出力処理に加えてもよい。
【０１６０】
つまり、例えば、設定情報６００が表１に示す設定１の状態に各フラグ情報が設定されている場合、すなわち前席側で再生したコンテンツデータは前席側に出力させ、後席側で再生したコンテンツデータは後席側に出力させる場合、この状態で第１の再生装置から第１出力部４００にラジオを再生出力し、第２の再生装置から第２出力部５００にＤＶＤを再生出力しているとする。ここで、スロットイン設定情報７００における第１前後席出力フラグ情報７１２が「１」に設定されている場合、第１ディスク処理部にＤＶＤディスクをスロットインすると、出力設定認識手段２６３は出力回路が表１における設定５の状態となり第２出力部５００において出力が重複すると認識する。そして、第２表示部５２０に例えば「前席のＤＶＤを出力しますか？Ｙｅｓ／Ｎｏ」などの設定選択画面が表示され、これに対し後席側の利用者がＹｅｓを選択すると、第１出力部４００および第２出力部５００の双方で第１ディスク処理部２１１のＤＶＤが再生出力される。このような構成の場合、再生中の再生出力状態と要求された再生出力状態とが重複しないように調整してくれるので、利用者の意図しない出力状態とならないように適宜調整が可能となり、利用者に不快感を与えない好適な再生制御をすることができる。
【０１６１】
また、コンテンツデータ再生システム１００における再生出力処理についても、図８に示した動画再生時出力変更処理に限らない。すなわち、現在所定の出力部で所定のコンテンツデータが再生出力されている際に入力信号認識手段２６２にて出力要求信号が認識された場合、出力設定認識手段２６３は出力要求信号で要求された出力回路の設定を認識し、現在の出力回路の設定を認識する。また、出力要求信号に基づく要求された出力回路の設定に基づいて再生出力を実施したとすると、所定の出力部にて現在再生出力中のコンテンツデータが異なるコンテンツデータに置換されるか否かを認識する。そして、出力切換制御手段２６６は、出力設定認識手段２６３にて前記置換されないと認識された場合、出力設定認識手段２６３にて認識された出力要求信号に基づく要求された出力回路の設定に基づいてセレクタ２３０に切換処理をさせる。一方、出力設定認識手段２６３にて前記置換されると認識された場合に、設定画面生成手段２６７は、出力設定認識手段２６３にて認識された出力要求信号に基づく要求された出力回路の設定および現在の出力回路の設定のうちいずれかを選択するよう促す画面を生成する。そして、出力切換制御手段２６６は、選択された出力回路の設定に基づいてセレクタ２３０の出力回路を切り換えさせる、などの構成を図８に示した動画再生時出力変更処理に加えてもよい。
【０１６２】
つまり、例えば、設定情報６００が表１に示す設定１の状態に各フラグ情報が設定されている場合、すなわち前側で再生したコンテンツデータは前側に出力させ、後側で再生したコンテンツデータは後側に出力させる場合、この状態で第１の再生装置でラジオ放送のコンテンツデータを再生し、第２の再生装置でＤＶＤのコンテンツデータを再生出力しているとする。ここで、後席側の利用者が第２入力操作部３２０にて出力設定の変更を要求すると図６に示す設定メニュー９００が例えばタッチパネル式の第２表示部に表示される。そして、第２再生装置表示領域９１２におけるＤＶＤに対応する画面部分と、第１出力部表示領域９１３および第２出力部表示領域９１４に対応する画面部分を触り、そしてＯＫボタン表示領域９４０に対応する画面部分を触ることにより、第２ディスク処理部３１１で再生したコンテンツを第１出力部４００および第２出力部５００に再生出力させる旨の出力要求信号が制御部２６０に送信される。この後、出力設定認識手段２６３は出力回路が表１における設定９の状態となり第１出力部４００において出力が重複すると認識する。そして、第１表示部４２０に例えば「後席のＤＶＤを出力しますか？Ｙｅｓ／Ｎｏ」などの設定選択画面が表示され、これに対し前席側の利用者がＹｅｓを選択すると、第１出力部４００および第２出力部５００の双方で第２ディスク処理部３１１のＤＶＤが再生出力される。このような構成の場合、再生中の再生出力状態と要求された再生出力状態とが重複しないように調整してくれるので、利用者の意図しない出力状態とならないように適宜調整が可能となり、利用者に不快感を与えない好適な再生制御をすることができる。
【０１６３】
その他、本発明の実施の際の具体的な構造および手順は、本発明の目的を達成できる範囲で他の構造などに適宜変更できる。
【０１６４】
〔実施の形態の作用効果〕
上述したように、上記実施の形態では、コンテンツデータ再生システム１００は、第１ディスク処理部２１１と、第１チューナ部２１２と、第２ディスク処理部３１１と、第２チューナ部３１２と、のいずれかで取得したコンテンツデータを、車両に搭載された第１出力部４００および第２出力部５００で再生出力させる制御をする制御部２６０を具備している。この制御部２６０は、入力操作に応じて出力され第１出力部４００および第２出力部５００のうち所定の出力部で再生出力させる要求に関する出力要求信号を認識する入力信号認識手段２６２と、認識した出力要求信号に基づいて、第１出力部４００および第２出力部５００の少なくともいずれか一方で再生出力させる状態を制御する出力切換制御手段２６６と、を備えている。このため、車両内に搭乗した利用者の入力操作により、所定のコンテンツデータを複数の出力部のうち所望の出力部で再生出力させることができる。したがって、コンテンツデータ再生システム１００は、好適にコンテンツデータを再生出力することができる。
【図面の簡単な説明】
【０１６５】
【図１】本発明の一実施の形態に係るコンテンツデータ再生システムの概略構成を示す概念図である。
【図２】本実施の形態におけるコンテンツデータ再生システムの概略構成を示すブロック図である。
【図３】本実施の形態における設定情報の概略構成を示す模式図である。
【図４】本実施の形態におけるスロットイン設定情報の概略構成を示す模式図である。
【図５】本実施の形態におけるスロットイン設定メニュー画面の一例を示す図である。
【図６】本実施の形態における設定メニューの一例を示す図である。
【図７】本実施の形態におけるコンテンツデータ再生システム１００の再生出力処理を示すフローチャートである。
【図８】本実施の形態におけるコンテンツデータ再生システム１００の動画再生時出力変更処理を示すフローチャートである。
【符号の説明】
【０１６６】
１００ 再生出力装置としてのコンテンツデータ再生システム
２１１ コンテンツデータ取得部としての第１ディスク処理部
２１２ コンテンツデータ取得部としての第１チューナ部
２２０ 第１の操作手段としての第１入力操作部
２６０ 再生制御装置としての制御部
２６１ 移動状況認識手段
２６２ 取得要求認識手段および出力要求認識手段としての入力信号認識手段
２６３ 再生出力制御手段としても機能する出力設定認識手段
２６４ 再生出力制御手段としても機能する設定情報生成手段
２６５ 再生出力制御手段
２６６ 再生出力制御手段としても機能する出力切換制御手段
２６７ 設定画面生成手段
３１１ コンテンツデータ取得部としての第２ディスク処理部
３１２ コンテンツデータ取得部としての第２チューナ部
３２０ 第２の操作手段としての第２入力操作部
４００ 第１出力部
４１０ 第１音声出力部
４２０ 第１表示部
５００ 第２出力部
５１０ 第２音声出力部
５２０ 第２表示部
９００ 設定画面としての設定メニュー
【図１】
2006209828.tif 000004
【図２】
2006209828.tif 000005
【図３】
2006209828.tif 000006
【図４】
2006209828.tif 000007
【図５】
2006209828.tif 000008
【図６】
2006209828.tif 000009
【図７】
2006209828.tif 000010
【図８】
2006209828.tif 000011